(57)【要約】本発明は無線通信システムに関し、具体的には、第１周波数バンド上の時間ユニット＃ｎでデータを受信する段階、及び第２周波数バンド上の時間ユニット＃ｍ＋ｋでデータに対するＡ／Ｎを送信する段階を含み、第１、第２周波数バンドは副搬送波間隔が互いに異なり、第２周波数バンドの時間ユニット＃ｍは第１周波数バンドの時間ユニット＃ｎに対応する第２周波数バンドの複数の時間ユニットのうち、最後の時間ユニットを示す方法及びそのための装置に関する。【選択図】図１４
2020523937.tif 000002
【特許請求の範囲】
【請求項１】
無線通信システムにおいて端末が通信を行う方法において、
第１周波数バンド上の時間ユニット＃ｎでデータを受信する段階と、
第２周波数バンド上の時間ユニット＃ｍ＋ｋで前記データに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を送信する段階と、を含み、
前記第１及び第２周波数バンドは副搬送波間隔が互いに異なり、
前記第２周波数バンドの時間ユニット＃ｍは前記第１周波数バンドの時間ユニット＃ｎに対応する前記第２周波数バンドの複数の時間ユニットのうち、最後の時間ユニットを示す方法。
【請求項２】
各時間ユニットは同じ数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)基盤のシンボルを含み、各時間ユニットの長さは副搬送波間隔に基づいて決定される、請求項１に記載の方法。
【請求項３】
前記第１周波数バンドの副搬送波間隔が前記第２周波数バンドの副搬送波間隔より小さい、請求項１に記載の方法。
【請求項４】
前記ｋに関する情報は前記データをスケジューリングする制御チャネルを介して受信される、請求項１に記載の方法。
【請求項５】
前記無線通信システムは３ＧＰＰ(３ｒｄ Ｇｅｎｅｒａｔｉｏｎ Ｐａｒｔｎｅｒｓｈｉｐ Ｐｒｏｊｅｃｔ)基盤の無線通信システムを含む、請求項１に記載の方法。
【請求項６】
無線通信システムに使用される端末において、
ＲＦ(Ｒａｄｉｏ Ｆｒｅｑｕｅｎｃｙ)モジュールと、
プロセッサと、を含み、前記プロセッサは、
第１周波数バンド上の時間ユニット＃ｎでデータを受信し、
第２周波数バンド上の時間ユニット＃ｍ＋ｋで前記データに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を送信するように構成され、
前記第１及び第２周波数バンドは副搬送波間隔が互いに異なり、
前記第２周波数バンドの時間ユニット＃ｍは前記第１周波数バンドの時間ユニット＃ｎに対応する前記第２周波数バンドの複数の時間ユニットのうち、最後の時間ユニットを示す端末。
【請求項７】
各時間ユニットは同じ数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)基盤のシンボルを含み、各時間ユニットの長さは副搬送波間隔に基づいて決定される、請求項６に記載の端末。
【請求項８】
前記第１周波数バンドの副搬送波間隔が前記第２周波数バンドの副搬送波間隔より小さい、請求項６に記載の端末。
【請求項９】
前記ｋに関する情報は前記データをスケジューリングする制御チャネルを介して受信される、請求項６に記載の端末。
【請求項１０】
前記無線通信システムは３ＧＰＰ(３ｒｄ Ｇｅｎｅｒａｔｉｏｎ Ｐａｒｔｎｅｒｓｈｉｐ Ｐｒｏｊｅｃｔ)基盤の無線通信システムを含む、請求項６に記載の端末。
【請求項１１】
無線通信システムにおいて基地局が通信を行う方法において、
第１周波数バンド上の時間ユニット＃ｎでデータを受信する段階と、
第２周波数バンド上の時間ユニット＃ｍ＋ｋで前記データに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を送信する段階と、を含み、
前記第１及び第２周波数バンドは副搬送波間隔が互いに異なり、
前記第２周波数バンドの時間ユニット＃ｍは前記第１周波数バンドの時間ユニット＃ｎに対応する前記第２周波数バンドの複数の時間ユニットのうち、最後の時間ユニットを示す方法。
【請求項１２】
各時間ユニットは同じ数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)基盤のシンボルを含み、各時間ユニットの長さは副搬送波間隔に基づいて決定される、請求項１１に記載の方法。
【請求項１３】
前記第１周波数バンドの副搬送波間隔が前記第２周波数バンドの副搬送波間隔より小さい、請求項１１に記載の方法。
【請求項１４】
前記ｋに関する情報は前記データをスケジューリングする制御チャネルを介して受信される、請求項１１に記載の方法。
【請求項１５】
前記無線通信システムは３ＧＰＰ(３ｒｄ Ｇｅｎｅｒａｔｉｏｎ Ｐａｒｔｎｅｒｓｈｉｐ Ｐｒｏｊｅｃｔ)基盤の無線通信システムを含む、請求項１１に記載の方法。
【請求項１６】
無線通信システムに使用される基地局において、
ＲＦ(Ｒａｄｉｏ Ｆｒｅｑｕｅｎｃｙ)モジュールと、
プロセッサと、を含み、前記プロセッサは、
第１周波数バンド上の時間ユニット＃ｎでデータを送信し、
第２周波数バンド上の時間ユニット＃ｍ＋ｋで前記データに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を受信するように構成され、
前記第１及び第２周波数バンドは副搬送波間隔が互いに異なり、
前記第２周波数バンドの時間ユニット＃ｍは前記第１周波数バンドの時間ユニット＃ｎに対応する前記第２周波数バンドの複数の時間ユニットのうち、最後の時間ユニットを示す基地局。
【請求項１７】
各時間ユニットは同じ数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)基盤のシンボルを含み、各時間ユニットの長さは副搬送波間隔に基づいて決定される、請求項１６に記載の基地局。
【請求項１８】
前記第１周波数バンドの副搬送波間隔が前記第２周波数バンドの副搬送波間隔より小さい、請求項１６に記載の基地局。
【請求項１９】
前記ｋに関する情報は前記データをスケジューリングする制御チャネルを介して受信される、請求項１６に記載の基地局。
【請求項２０】
前記無線通信システムは３ＧＰＰ(３ｒｄ Ｇｅｎｅｒａｔｉｏｎ Ｐａｒｔｎｅｒｓｈｉｐ Ｐｒｏｊｅｃｔ)基盤の無線通信システムを含む、請求項１６に記載の基地局。
【発明の詳細な説明】
【技術分野】
【０００１】
本発明は無線通信システムに関し、より具体的には無線信号の送受信方法及び装置に関する。無線通信システムはＣＡ(Ｃａｒｒｉｅｒ Ａｇｇｒｅｇａｔｉｏｎ)基盤の無線通信システムを含む。
【背景技術】
【０００２】
無線通信システムが音声やデータなどの種々の通信サービスを提供するために広範囲に展開されている。一般に、無線通信システムは可用のシステムリソース(帯域幅、伝送パワーなど)を共有して多重使用者との通信を支援することができる多重接続(ｍｕｌｔｉｐｌｅ ａｃｃｅｓｓ)システムである。多重接続システムの例としては、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。
【発明の概要】
【発明が解決しようとする課題】
【０００３】
本発明の目的は、無線信号の送受信過程を効率的に行う方法及びそのための装置を提供することにある。
【０００４】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００５】
本発明の一様相として、無線通信システムにおいて端末が通信を行う方法において、第１周波数バンド上の時間ユニット＃ｎでデータを受信する段階、及び第２周波数バンド上の時間ユニット＃ｍ＋ｋでデータに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を送信する段階を含み、第１及び第２周波数バンドは副搬送波間隔が互いに異なり、第２周波数バンドの時間ユニット＃ｍは第１周波数バンドの時間ユニット＃ｎに対応する第２周波数バンドの複数の時間ユニットのうち、最後の時間ユニットを示す方法が提供される。
【０００６】
本発明の他の様相として、無線通信システムに使用される端末において、ＲＦ(Ｒａｄｉｏ Ｆｒｅｑｕｅｎｃｙ)モジュール、及びプロセッサを含み、プロセッサは、第１周波数バンド上の時間ユニット＃ｎでデータを受信し、第２周波数バンド上の時間ユニット＃ｍ＋ｋでデータに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を送信するように構成され、第１及び第２周波数バンドは副搬送波間隔が互いに異なり、第２周波数バンドの時間ユニット＃ｍは第１周波数バンドの時間ユニット＃ｎに対応する第２周波数バンドの複数の時間ユニットのうち、最後の時間ユニットを示す端末が提供される。
【０００７】
本発明のさらに他の様相として、無線通信システムにおいて基地局が通信を行う方法において、第１周波数バンド上の時間ユニット＃ｎでデータを受信する段階、及び第２周波数バンド上の時間ユニット＃ｍ＋ｋでデータに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を送信する段階を含み、第１及び第２周波数バンドは副搬送波間隔が互いに異なり、第２周波数バンドの時間ユニット＃ｍは第１周波数バンドの時間ユニット＃ｎに対応する第２周波数バンドの複数の時間ユニットのうち、最後の時間ユニットを示す方法が提供される。
【０００８】
本発明のさらに他の様相として、無線通信システムに使用される基地局において、ＲＦ(Ｒａｄｉｏ Ｆｒｅｑｕｅｎｃｙ)モジュール、及びプロセッサを含み、プロセッサは、第１周波数バンド上の時間ユニット＃ｎでデータを送信し、第２周波数バンド上の時間ユニット＃ｍ＋ｋでデータに対するＡ／Ｎ(Ａｃｋｎｏｗｌｅｄｇｅｍｅｎｔ／Ｎｅｇａｔｉｖｅ ａｃｋｎｏｗｌｅｄｇｅｍｅｎｔ)を受信するように構成され、第１及び第２周波数バンドは副搬送波間隔が互いに異なり、第２周波数バンドの時間ユニット＃ｍは第１周波数バンドの時間ユニット＃ｎに対応する第２周波数バンドの複数の時間ユニットのうち、最後の時間ユニットを示す基地局が提供される。
【０００９】
好ましくは、各時間ユニットは同じ数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)基盤のシンボルを含み、各時間ユニットの長さは副搬送波間隔に基づいて決定される。
【００１０】
好ましくは、第１周波数バンドの副搬送波間隔が第２周波数バンドの副搬送波間隔より小さい。
【００１１】
好ましくは、ｋに関する情報はデータをスケジューリングする制御チャネルを介して受信される。
【００１２】
好ましくは、第１周波数バンドはＳＣｅｌｌ(Ｓｅｃｏｎｄａｒｙ Ｃｅｌｌ)に対応し、第２周波数バンドはＰＵＣＣＨ(Ｐｈｙｓｉｃａｌ Ｕｐｌｉｎｋ Ｃｏｎｔｒｏｌ Ｃｈａｎｎｅｌ)を送信するように設定されたセルに対応する。
【００１３】
好ましくは、データはＰＤＳＣＨ(Ｐｈｙｓｉｃａｌ Ｄｏｗｎｌｉｎｋ Ｓｈａｒｅｄ Ｃｈａｎｎｅｌ)を介して受信され、Ａ／ＮはＰＵＣＣＨ(Ｐｈｙｓｉｃａｌ Ｕｐｌｉｎｋ Ｃｏｎｔｒｏｌ Ｃｈａｎｎｅｌ)を介して送信される。
【００１４】
好ましくは、無線通信システムは３ＧＰＰ(３ｒｄ Ｇｅｎｅｒａｔｉｏｎ Ｐａｒｔｎｅｒｓｈｉｐ Ｐｒｏｊｅｃｔ)基盤の無線通信システムを含む。
【発明の効果】
【００１５】
本発明によれば、無線通信システムにおいて無線信号の送受信を効率的に行うことができる。
【００１６】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１７】
本発明に関する理解を助けるために詳細な説明の一部として含まれる添付図面は本発明の実施例を提供し、詳細な説明とともに本発明の技術的思想を説明する。
【００１８】
【図１】無線通信システムの一例である３ＧＰＰ ＬＴＥ(−Ａ)システムに用いられる物理チャネル及びこれらを用いた一般的な信号伝送方法を例示する図である。
【図２】無線フレーム(ｒａｄｉｏ ｆｒａｍｅ)の構造を例示する図である。
【図３】下りリンクスロットのリソースグリッドを例示する図である。
【図４】下りリンクサブフレームの構造を示す図である。
【図５】ＬＴＥ(−Ａ)で使用される上りリンクサブフレームの構造を例示する図である。
【図６】ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式とＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式を例示する図である。
【図７】ＵＬ ＨＡＲＱ(Ｕｐｌｉｎｋ Ｈｙｂｒｉｄ Ａｕｔｏｍａｔｉｃ Ｒｅｐｅａｔ ｒｅＱｕｅｓｔ)動作を例示する図である。
【図８】キャリア併合(Ｃａｒｒｉｅｒ Ａｇｇｒｅｇａｔｉｏｎ、ＣＡ)通信システムを例示する図である。
【図９】クロス−キャリアスケジューリング(ｃｒｏｓｓ−ｃａｒｒｉｅｒ ｓｃｈｅｄｕｌｉｎｇ)を例示する図である。
【図１０】自己完結(ｓｅｌｆ−ｃｏｎｔａｉｎｅｄ)サブフレーム構造を例示する図である。
【図１１】３ＧＰＰ ＮＲに定義されたフレーム構造を例示する図である。
【図１２】本発明による信号送信を例示する図である。
【図１３】本発明による信号送信を例示する図である。
【図１４】本発明による信号送信を例示する図である。
【図１５】本発明による信号送信を例示する図である。
【図１６】本発明による信号送信を例示する図である。
【図１７】本発明に適用可能な基地局及び端末を例示する図である。
【発明を実施するための形態】
【００１９】
以下の技術はＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などの多様な無線接続システムに用いられることができる。ＣＤＭＡはＵＴＲＡ(Ｕｎｉｖｅｒｓａｌ Ｔｅｒｒｅｓｔｒｉａｌ Ｒａｄｉｏ Ａｃｃｅｓｓ)又はＣＤＭＡ２０００のような無線技術(ｒａｄｉｏ ｔｅｃｈｎｏｌｏｇｙ)によって具現可能である。ＴＤＭＡはＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術によって具現可能である。ＯＦＤＭＡはＩＥＥＥ ８０２．１１(Ｗｉ−Ｆｉ)、ＩＥＥＥ ８０２．１６(ＷｉＭＡＸ)、ＩＥＥＥ ８０２−２０、Ｅ−ＵＴＲＡ(Ｅｖｏｌｖｅｄ ＵＴＲＡ)などの無線技術によって具現可能である。ＵＴＲＡはＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(ｌｏｎｇ ｔｅｒｍ ｅｖｏｌｕｔｉｏｎ)はＥ−ＵＴＲＡを用いるＥ−ＵＭＴＳ(Ｅｖｏｌｖｅｄ ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)は３ＧＰＰ ＬＴＥの進化したバージョンである。説明を明確にするために、３ＧＰＰ ＬＴＥ／ＬＴＥ−Ａを主として説明したが、本発明の技術的思想はこれに限定されない。
【００２０】
無線通信システムにおいて、端末は基地局から下りリンク(Ｄｏｗｎｌｉｎｋ、ＤＬ)を介して情報を受信し、端末は基地局から上りリンク(Ｕｐｌｉｎｋ、ＵＬ)を介して情報を伝送する。基地局と端末が送受信する情報はデータ及び様々な制御情報を含み、これらが送受信する情報の種類／用途によって様々な物理チャネルが存在する。
【００２１】
図１は３ＧＰＰ ＬＴＥ(−Ａ)システムに用いられる物理チャネル及びこれらを用いた一般的な信号伝送方法を例示する図である。
【００２２】
電源Ｏｆｆ状態で電源を入れたか或いは新しくセルに進入した端末は、段階Ｓ１０１において、基地局と同期を確立するなどの初期セル探索(Ｉｎｉｔｉａｌ ｃｅｌｌ ｓｅａｒｃｈ)作業を行う。このために、端末は基地局から主同期チャネル(Ｐｒｉｍａｒｙ Ｓｙｎｃｈｒｏｎｉｚａｔｉｏｎ Ｃｈａｎｎｅｌ、Ｐ−ＳＣＨ)及び副同期チャネル(Ｓｅｃｏｎｄａｒｙ Ｓｙｎｃｈｒｏｎｉｚａｔｉｏｎ Ｃｈａｎｎｅｌ、Ｓ−ＳＣＨ)を受信して基地局と同期を確立し、セルＩＤ(ｃｅｌｌ ｉｄｅｎｔｉｔｙ)などの情報を得る。その後、端末は基地局から物理放送チャネル(Ｐｈｙｓｉｃａｌ Ｂｒｏａｄｃａｓｔ Ｃｈａｎｎｅｌ、ＰＢＣＨ)を受信してセル内の放送情報を得る。なお、端末は初期セル探索の段階において、下りリンク参照信号(Ｄｏｗｎｌｉｎｋ Ｒｅｆｅｒｅｎｃｅ Ｓｉｇｎａｌ、ＤＬ ＲＳ)を受信して下りリンクチャネルの状態を確認できる。
【００２３】
初期セル探索が終了した端末は、段階Ｓ１０２において、物理下りリンク制御チャネル(Ｐｈｙｓｉｃａｌ Ｄｏｗｎｌｉｎｋ Ｃｏｎｔｒｏｌ Ｃｈａｎｎｅｌ、ＰＤＣＣＨ)及び物理下りリンク制御チャネルの情報に基づく物理下りリンク共有チャネル(Ｐｈｙｓｉｃａｌ Ｄｏｗｎｌｉｎｋ Ｃｏｎｔｒｏｌ Ｃｈａｎｎｅｌ、ＰＤＳＣＨ)を受信して、より具体的なシステム情報を得る。
【００２４】
以後端末は基地局に接続を完了するために、段階Ｓ１０３乃至段階Ｓ１０６のような任意接続過程(Ｒａｎｄｏｍ Ａｃｃｅｓｓ Ｐｒｏｃｅｄｕｒｅ)を行う。このために端末は、物理任意接続チャネル(Ｐｈｙｓｉｃａｌ Ｒａｎｄｏｍ Ａｃｃｅｓｓ Ｃｈａｎｎｅｌ、ＰＲＡＣＨ)を介してプリアンブル(ｐｒｅａｍｂｌｅ)を伝送し(Ｓ１０３)、物理下りリンク制御チャネル及びこれに対応する物理下りリンク共有チャネルを介してプリアンブルに対する応答メッセージを受信する(Ｓ１０４)。競争基盤の任意接続(Ｃｏｎｔｅｎｔｉｏｎ ｂａｓｅｄ ｒａｎｄｏｍ ａｃｃｅｓｓ)の場合、さらなる物理任意接続チャネルの伝送(Ｓ１０５)、物理下りリンク制御チャネル及びそれに対応する物理下りリンク共有チャネルの受信(Ｓ１０６)のような衝突解決手順(Ｃｏｎｔｅｎｔｉｏｎ Ｒｅｓｏｌｕｔｉｏｎ Ｐｒｏｃｅｄｕｒｅ)を行う。
【００２５】
このような手順を行った端末は、その後一般的な上り／下りリンク信号の伝送手順として物理下りリンク制御チャネル／物理下りリンク共有チャネルの受信(Ｓ１０７)、及び物理上りリンク共有チャネル(Ｐｈｙｓｉｃａｌ Ｕｐｌｉｎｋ Ｓｈａｒｅｄ Ｃｈａｎｎｅｌ、ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ、ＰＵＣＣＨ)の伝送を行う(Ｓ１０８)。端末が基地局に伝送する制御情報を併せて上りリンク制御情報(Ｕｐｌｉｎｋ Ｃｏｎｔｒｏｌ Ｉｎｆｏｒｍａｔｉｏｎ、ＵＣＩ)と称する。ＵＣＩは、ＨＡＲＱ ＡＣＫ／ＮＡＣＫ(Ｈｙｂｒｉｄ Ａｕｔｏｍａｔｉｃ Ｒｅｐｅａｔ ａｎｄ ｒｅＱｕｅｓｔ Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ Ｒｅｑｕｅｓｔ)、ＣＳＩ(Ｃｈａｎｎｅｌ Ｓｔａｔｅ Ｉｎｆｏｒｍａｔｉｏｎ)などを含む。ＣＳＩは、ＣＱＩ(Ｃｈａｎｎｅｌ Ｑｕａｌｉｔｙ Ｉｎｄｉｃａｔｏｒ)、ＰＭＩ(Ｐｒｅｃｏｄｉｎｇ Ｍａｔｒｉｘ Ｉｎｄｉｃａｔｏｒ)、ＲＩ(Ｒａｎｋ Ｉｎｄｉｃａｔｉｏｎ)などを含む。ＵＣＩは一般的にＰＵＣＣＨを介して伝送されるが、制御情報とトラヒックデータが同時に伝送される必要がある場合にはＰＵＳＣＨを介して伝送される。また、ネットワークの要請／指示によってＰＵＳＣＨを介してＵＣＩを非周期的に伝送することができる。
【００２６】
図２は無線フレーム(ｒａｄｉｏ ｆｒａｍｅ)構造を例示する。上りリンク／下りリンクデータパケット伝送サブフレーム(ｓｕｂｆｒａｍｅ)単位でなり、一つのサブフレームは多数のＯＦＤＭシンボルを含む一定時間区間と定義される。ＬＴＥ(−Ａ)はＦＤＤ(Ｆｒｅｑｕｅｎｃｙ Ｄｉｖｉｓｉｏｎ Ｄｕｐｌｅｘ)のためのタイプ１無線フレーム構造及びＴＤＤ(Ｔｉｍｅ Ｄｉｖｉｓｉｏｎ Ｄｕｐｌｅｘ)のためのタイプ２無線フレーム構造を支援する。
【００２７】
図２(ａ)はタイプ１無線フレーム構造を例示する。下りリンク無線フレームは１０個のサブフレームで構成され、一つのサブフレームは時間領域(ｔｉｍｅ ｄｏｍａｉｎ)で２個のスロット(ｓｌｏｔ)で構成される。一つのサブフレームが送信されるのにかかる時間をＴＴＩ(ｔｒａｎｓｍｉｓｓｉｏｎ ｔｉｍｅ ｉｎｔｅｒｖａｌ)と言う。例えば、一つのサブフレームの長さは１ｍｓであり、一つのスロットの長さは０．５ｍｓであってもよい。一つのスロットは時間領域で複数のＯＦＤＭシンボルを含み、周波数領域で多数のリソースブロック(Ｒｅｓｏｕｒｃｅ Ｂｌｏｃｋ、ＲＢ)を含む。3GPPＬＴＥ(−Ａ)システムにおいては下りリンクでＯＦＤＭＡを使うので、ＯＦＤＭシンボルが一つのシンボル区間を示す。ＯＦＤＭシンボルはＳＣ−ＦＤＭＡシンボル又はシンボル区間と言うこともできる。リソース割当て単位としてのリソースブロック(ＲＢ)は一つのスロットで複数の連続的な副搬送波(ｓｕｂｃａｒｒｉｅｒ)を含むことができる。
【００２８】
スロットに含まれるＯＦＤＭシンボルの数は、ＣＰ(Ｃｙｃｌｉｃ Ｐｒｅｆｉｘ)の構成によって異なる。ＣＰには拡張ＣＰ(ｅｘｔｅｎｄｅｄ ＣＰ)とノーマルＣＰ(ｎｏｒｍａｌ ＣＰ)がある。例えば、ＯＦＤＭシンボルがノーマルＣＰにより構成される場合、１つのスロットに含まれるＯＦＤＭシンボルの数は７つである。ＯＦＤＭシンボルが拡張されたＣＰによって構成される場合、１つのＯＦＤＭシンボルの長さが長くなるので、１つのスロットに含まれるＯＦＤＭシンボルの数はノーマルＣＰの場合より少なくなる。例えば、拡張ＣＰの場合、１つのスロットに含まれるＯＦＤＭシンボルの数が６つである。端末の高速移動などによりチャネルの状態が不安定な場合、シンボルの間の干渉を減らすために拡張ＣＰが使用される。
【００２９】
ノーマルＣＰが使用される場合、スロットは７つのＯＦＤＭシンボルを含むので、サブフレームは１４つのＯＦＤＭシンボルを含む。サブフレームの初めから最大３つのＯＦＤＭシンボルはＰＤＣＣＨ(ｐｈｙｓｉｃａｌ ｄｏｗｎｌｉｎｋ ｃｏｎｔｒｏｌ ｃｈａｎｎｅｌ)に割り当てられ、その他のＯＦＤＭシンボルはＰＤＳＣＨ(ｐｈｙｓｉｃａｌ ｄｏｗｎｌｉｎｋ ｓｈａｒｅｄ ｃｈａｎｎｅｌ)に割り当てられる。
【００３０】
図２(ｂ)はタイプ２の無線フレームの構造を例示する。タイプ２の無線フレームは、２つのハーフフレーム(ｈａｌｆ ｆｒａｍｅ)で構成される。ハーフフレームは４(５)個の一般サブフレームと１(０)個のスペシャルサブフレームを含む。一般サブフレームはＵＬ−ＤＬ構成(Ｕｐｌｉｎｋ−Ｄｏｗｎｌｉｎｋ Ｃｏｎｆｉｇｕｒａｔｉｏｎ)によって上りリンク又は下りリンクに使用される。サブフレームは２つのスロットで構成される。
【００３１】
表１はＵＬ−ＤＬ構成による無線フレーム内のサブフレームの構成を例示する。
【００３２】
【表１】
2020523937.tif 000003
【００３３】
表で、Ｄは下りリンクサブフレームを、Ｕは上りリンクサブフレームを、Ｓはスペシャル(ｓｐｅｃｉａｌ)サブフレームを示す。スペシャルサブフレームはＤｗＰＴＳ(Ｄｏｗｎｌｉｎｋ Ｐｉｌｏｔ Ｔｉｍｅ Ｓｌｏｔ)、ＧＰ(Ｇｕａｒｄ Ｐｅｒｉｏｄ)、ＵｐＰＴＳ(Ｕｐｌｉｎｋ Ｐｉｌｏｔ ＴｉｍｅＳｌｏｔ)を含む。ＤｗＰＴＳは端末における初期セル探索、同期化又はチャネル推定に使用される。ＵｐＰＴＳは基地局におけるチャネル推定、端末の上りリンク伝送同期の確立に使用される。保護区間は上りリンクと下りリンクの間における下りリンク信号の多重経路遅延により上りリンクに発生し得る干渉を除去するための区間である。
【００３４】
無線フレームの構造は一例に過ぎず、無線フレームにおいてサブフレームの数、スロットの数、シンボルの数は様々に変更可能である。
【００３５】
図３は下りリンクスロットのリソースグリッドを例示する図である。
【００３６】
図３を参照すると、下りリンクスロットは時間ドメインで複数のＯＦＤＭシンボルを含む。ここでは、１つの下りリンクスロットは７つのＯＦＤＭシンボルを含み、１つのリソースブロック(ＲＢ)は周波数ドメインで１２つの副搬送波を含むことが例示されている。しかし、本発明はこれに制限されない。リソースグリッド上で各々の要素はリソース要素(Ｒｅｓｏｕｒｃｅ Ｅｌｅｍｅｎｔ、ＲＥ)と称される。１つのＲＢは１２×７ＲＥを含む。下りリンクスロットに含まれたＲＢの数ＮＤＬは下りリンクの伝送帯域に依存する。上りリンクスロットの構造は下りリンクスロットの構造と同一である。
【００３７】
図４は下りリンクサブフレームの構造を例示する。
【００３８】
図４を参照すると、サブフレームの一番目スロットにおいて前側に位置する最大３(４)個のＯＦＤＭシンボルは制御チャネルが割り当てられる制御領域に対応する。その他のＯＦＤＭシンボルは、ＰＤＳＣＨ(ｐｈｙｓｉｃａｌ ｄｏｗｎｌｉｎｋ ｓｈａｒｅｄ ｃｈａｎｃｅｌ)が割り当てられるデータ領域に該当し、データ領域の基本リソース単位はＲＢである。ＬＴＥにおいて使用される下りリンク制御チャネルの例は、ＰＣＦＩＣＨ(ｐｈｙｓｉｃａｌ ｃｏｎｔｒｏｌ ｆｏｒｍａｔ ｉｎｄｉｃａｔｏｒ ｃｈａｎｎｅｌ)、ＰＤＣＣＨ(ｐｈｙｓｉｃａｌ ｄｏｗｎｌｉｎｋ ｃｏｎｔｒｏｌ ｃｈａｎｎｅｌ)、ＰＨＩＣＨ(ｐｈｙｓｉｃａｌ ｈｙｂｒｉｄ ＡＲＱ ｉｎｄｉｃａｔｏｒ ｃｈａｎｎｅｌ)などを含む。ＰＣＦＩＣＨはサブフレームの一番目ＯＦＤＭシンボルで送信され、サブフレーム内で制御チャネルの伝送に使われるＯＦＤＭシンボルの数についての情報を運ぶ。ＰＨＩＣＨは上りリンク伝送に対する応答であり、ＨＡＲＱ ＡＣＫ／ＮＡＣＫ(Ｈｙｂｒｉｄ Ａｕｔｏｍａｔｉｃ Ｒｅｐｅａｔ ｒｅｑｕｅｓｔ ａｃｋｎｏｗｌｅｄｇｍｅｎｔ／ｎｅｇａｔｉｖｅ−ａｃｋｎｏｗｌｅｄｇｍｅｎｔ)信号を運ぶ。ＰＤＣＣＨを介して伝送される制御情報はＤＣＩ(ｄｏｗｎｌｉｎｋ ｃｏｎｔｒｏｌ ｉｎｆｏｒｍａｔｉｏｎ)と称される。ＤＣＩは上りリンク又は下りリンクのスケジューリング情報又は任意の端末グループのための上りリンク伝送電力制御命令(Ｔｒａｎｓｍｉｔ Ｐｏｗｅｒ Ｃｏｎｔｒｏｌ Ｃｏｍｍａｎｄ)を含む。
【００３９】
ＰＤＣＣＨを介して送信される制御情報をＤＣＩ(Ｄｏｗｎｌｉｎｋ Ｃｏｎｔｒｏｌ Ｉｎｆｏｒｍａｔｉｏｎ)と言う。ＤＣＩフォーマットは上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって情報フィールドの種類、情報フィールドの数、各々の情報フィールドのビットの数などが変わる。例えば、ＤＣＩフォーマットは用途によってホッピングフラグ(ｈｏｐｐｉｎｇ ｆｌａｇ)、ＲＢ割当て、ＭＣＳ(Ｍｏｄｕｌａｔｉｏｎ Ｃｏｄｉｎｇ Ｓｃｈｅｍｅ)、ＲＶ(Ｒｅｄｕｎｄａｎｃｙ Ｖｅｒｓｉｏｎ)、ＮＤＩ(Ｎｅｗ Ｄａｔａ Ｉｎｄｉｃａｔｏｒ)、ＴＰＣ(Ｔｒａｎｓｍｉｔ Ｐｏｗｅｒ Ｃｏｎｔｒｏｌ)、ＤＭＲＳ(ＤｅＭｏｄｕｌａｔｉｏｎ Ｒｅｆｅｒｅｎｃｅ Ｓｉｇｎａｌ)のための循環シフト、ＣＱＩ(Ｃｈａｎｎｅｌ Ｑｕａｌｉｔｙ Ｉｎｆｏｒｍａｔｉｏｎ)要請、ＨＡＲＱプロセス番号、ＴＰＭＩ(Ｔｒａｎｓｍｉｔｔｅｄ Ｐｒｅｃｏｄｉｎｇ Ｍａｔｒｉｘ Ｉｎｄｉｃａｔｏｒ)、ＰＭＩ(Ｐｒｅｃｏｄｉｎｇ Ｍａｔｒｉｘ Ｉｎｄｉｃａｔｏｒ)などの情報を選択的に含む。従って、ＤＣＩフォーマットによってＤＣＩフォーマットに整合される制御情報のサイズが変わる。なお、任意のＤＣＩフォーマットは２つ種類以上の制御情報伝送に使用される。例えば、ＤＣＩフォーマット０／１ＡはＤＣＩフォーマット０又はＤＣＩフォーマット１を運ぶために使用され、これらはフラグフィールド(ｆｌａｇ ｆｉｅｌｄ)により区分される。
【００４０】
ＰＤＣＣＨはＤＬ−ＳＣＨ(ｄｏｗｎｌｉｎｋ ｓｈａｒｅｄ ｃｈａｎｎｅｌ)の伝送フォーマット及びリソース割り当て、ＵＬ−ＳＣＨ(ｕｐｌｉｎｋ ｓｈａｒｅｄ ｃｈａｎｎｅｌ)に対するリソース割り当て情報、ＰＣＨ(ｐａｇｉｎｇ ｃｈａｎｎｅｌ)に対するページング情報、ＤＬ−ＳＣＨ上のシステム情報(ｓｙｓｔｅｍ ｉｎｆｏｒｍａｔｉｏｎ)、ＰＤＳＣＨ上で伝送されるランダム接続応答のような上位階層制御メッセージのリソース割り当て情報、任意の端末グループ内で個別の端末に対する伝送電力制御命令、ＶｏＩＰ(Ｖｏｉｃｅ ｏｖｅｒ ＩＰ)の活性化(ａｃｔｉｖａｔｉｏｎ)などを運ぶ。複数のＰＤＣＣＨが制御領域内で送信されることができる。端末は複数のＰＤＣＣＨをモニターすることができる。ＰＤＣＣＨは一つ又は複数の連続した制御チャネル要素(Ｃｏｎｔｒｏｌ Ｃｈａｎｎｅｌ Ｅｌｅｍｅｎｔ、ＣＣＥ)の集合(ａｇｇｒｅｇａｔｉｏｎ)上で送信される。ＣＣＥはＰＤＣＣＨに無線チャネル状態に基づくコーディングレートを提供するのに使われる論理的割当てユニットである。ＣＣＥは複数のリソース要素グループ(Ｒｅｓｏｕｒｃｅ Ｅｌｅｍｅｎｔ Ｇｒｏｕｐ、ＲＥＧ)に対応する。ＰＤＣＣＨのフォーマット及びＰＤＣＣＨビットの数はＣＣＥの数によって決定される。基地局は端末に送信されるＤＣＩによってＰＤＣＣＨフォーマットを決定し、制御情報にＣＲＣ(Ｃｙｃｌｉｃ Ｒｅｄｕｎｄａｎｃｙ Ｃｈｅｃｋ)を付け加える。ＣＲＣはＰＤＣＣＨの所有者又は使用目的によって識別子(例えば、ＲＮＴＩ(Ｒａｄｉｏ Ｎｅｔｗｏｒｋ Ｔｅｍｐｏｒａｒｙ Ｉｄｅｎｔｉｆｉｅｒ))でマスキングされる。例えば、ＰＤＣＣＨが特定の端末のためのものである場合、該当端末の識別子(例えば、Ｃｅｌｌ−ＲＮＴＩ(Ｃ−ＲＮＴＩ))がＣＲＣにマスキングされることができる。ＰＤＣＣＨがページングメッセージのためのものである場合、ページング識別子(例えば、Ｐａｇｉｎｇ−ＲＮＴＩ(Ｐ−ＲＮＴＩ))がＣＲＣにマスキングされる。ＰＤＣＣＨがシステム情報(より具体的に、システム情報ブロック(Ｓｙｓｔｅｍ Ｉｎｆｏｒｍａｔｉｏｎ Ｂｌｏｃｋ、ＳＩＢ))のためのものである場合、ＳＩ−ＲＮＴＩ(Ｓｙｓｔｅｍ Ｉｎｆｏｒｍａｔｉｏｎ ＲＮＴＩ)がＣＲＣにマスキングされる。ＰＤＣＣＨがランダム接続応答のためのものである場合、ＲＡ−ＲＮＴＩ(Ｒａｎｄｏｍ Ａｃｃｅｓｓ−ＲＮＴＩ)がＣＲＣにマスキングされる。
【００４１】
ＰＤＣＣＨはＤＣＩ(ｄｏｗｎｌｉｎｋ ｃｏｎｔｒｏｌ ｉｎｆｏｒｍａｔｉｏｎ)と知られたメッセージを運び、ＤＣＩは１つの端末又は端末グループのためのリソース割り当て及び他の制御情報を含む。一般的に、複数のＰＤＣＣＨが１つのサブフレーム内で伝送される。各々のＰＤＣＣＨは１つ以上のＣＣＥ(Ｃｏｎｔｒｏｌ Ｃｈａｎｎｅｌ Ｅｌｅｍｅｎｔ)を用いて伝送され、各々のＣＣＥは９セットの４つのリソース要素に対応する。４つのリソース要素はＲＥＧ(Ｒｅｓｏｕｒｃｅ Ｅｌｅｍｅｎｔ Ｇｒｏｕｐ)と称される。４つのＱＰＳＫシンボルが１つのＲＥＧにマッピングされる。参照信号に割り当てられたリソース要素はＲＥＧに含まれず、これによって与えられたＯＦＤＭシンボル内でＲＥＧの総数はセル−特定(ｃｅｌｌ−ｓｐｅｃｉｆｉｃ)の参照信号の存在有無によって変わる。ＲＥＧ概念(即ち、グループ単位マッピング、各々のグループは４つのリソース要素を含む)は、他の下りリンク制御チャネル(ＰＣＦＩＣＨ及びＰＨＩＣＨ)にも使用される。即ち、ＲＥＧは制御領域の基本リソース単位として使用される。４つのＰＤＣＣＨフォーマットが表２のように支援される。
【００４２】
【表２】
2020523937.tif 000004
【００４３】
複数のＣＣＥは連続的にナンバーリングされて使用され、復号化プロセスを単純化するために、ｎ  ＣＣＥｓで構成されたフォーマットを有するＰＤＣＣＨはｎの倍数と同じ数を有するＣＣＥでのみ始まる。所定のＰＤＣＣＨの伝送のために使用されるＣＣＥの数は、チャネル条件に従って基地局により決定される。例えば、ＰＤＣＣＨが良好な下りリンクチャネル(例えば、基地局に近い)を有する端末のためのものである場合、１つのＣＣＥでも十分である。しかし、悪いチャネル(例えば、セル境界に近い)を有する端末の場合は、十分な堅牢さ(ｒｏｂｕｓｔｎｅｓｓ)を得るために、８つのＣＣＥが使用される。また、ＰＤＣＣＨのパーワレベルをチャネル条件に合わせて調節できる。
【００４４】
ＬＴＥに導入された方案は、各々の端末のためにＰＤＣＣＨが位置可能な制限されたセットにおけるＣＣＥ位置を定義することである。端末が自分のＰＤＣＣＨを探索できる制限されたセットにおけるＣＣＥの位置は、検索空間(Ｓｅａｒｃｈ Ｓｐａｃｅ、ＳＳ)と称される。ＬＴＥにおいて、検索空間は各々のＰＤＣＣＨフォーマットによって異なるサイズを有する。また、ＵＥ−特定(ＵＥ−ｓｐｅｃｉｆｉｃ)及び共通(ｃｏｍｍｏｎ)の検索空間が別に定義される。ＵＥ−特定の検索空間(ＵＥ−Ｓｐｅｃｉｆｉｃ Ｓｅａｒｃｈ Ｓｐａｃｅ、ＵＳＳ)は、各々の端末のために個々に設定され、共通検索空間(Ｃｏｍｍｏｎ Ｓｅａｒｃｈ Ｓｐａｃｅ、ＣＳＳ)の範囲は全端末に通知される。ＵＥ−特定及び共通検索空間は、与えられた端末に対して重なり合うことができる。非常に小さい検索空間を有する時、所定の端末のための検索空間において一部のＣＣＥ位置が割り当てられた場合は残ったＣＣＥがないため、与えられたサブフレーム内で基地局はできる限り全ての端末にＰＤＣＣＨを伝送するＣＣＥリソースを見つけることができない。このようにブロッキングが次のサブフレームに続く可能性を最小化するために、ＵＥ−特定検索空間の開始位置に端末−特定ホッピングシーケンスが適用される。
【００４５】
表３は共通及びＵＥ−特定検索空間のサイズを表す。
【００４６】
【表３】
2020523937.tif 000005
【００４７】
ブラインドデコード(Ｂｌｉｎｄ Ｄｅｃｏｄｉｎｇ；ＢＤ)の総回数による計算負荷を統制下におくために、端末は定義された全てのＤＣＩフォーマットを同時に検索することが要求されない。一般的に、ＵＥ−特定検索空間内で端末は常にフォーマット０と１Ａを検索する。フォーマット０と１Ａは同じサイズを有し、メッセージ内のフラグによって区分される。また端末は追加フォーマットを受信するように要求されることができる(例えば、基地局により設定されたＰＤＳＣＨ伝送モードによって１，１Ｂ又は２)。共通検索空間において端末はフォーマット１Ａ及び１Ｃをサーチする。また端末はフォーマット３又は３Ａをサーチするように設定されることができる。フォーマット３及び３Ａはフォーマット０及び１Ａと同じサイズを有し、端末−特定識別者よりは、互いに異なる(共通)識別者でＣＲＣをスクランブルすることにより区分される。以下、伝送モードによるＰＤＳＣＨの伝送技法、及びＤＣＩフォーマットの情報コンテンツを記載する。
【００４８】
伝送モード(Ｔｒａｎｓｍｉｓｓｉｏｎ  Ｍｏｄｅ、ＴＭ)
【００４９】
●  伝送モード１：単一基地局アンテナポートからの伝送
【００５０】
●  伝送モード２：伝送ダイバーシティ
【００５１】
●  伝送モード３：開−ループ空間多重化
【００５２】
●  伝送モード４：閉−ループ空間多重化
【００５３】
●  伝送モード５：多重ユーザ  ＭＩＭＯ
【００５４】
●  伝送モード６：閉−ループ  ランク−１プリコーディング
【００５５】
●  伝送モード７：単一−アンテナポート(ポート５)の伝送
【００５６】
●  伝送モード８：二重レイヤ伝送(ポート７及び８)又は単一−アンテナポート(ポート７又は８)の伝送
【００５７】
●  伝送モード９：最大８つのレイヤ伝送(ポート７乃至１４)又は単一−アンテナポート(ポート７又は８)の伝送
【００５８】
ＤＣＩフォーマット
【００５９】
●  フォーマット０：ＰＵＳＣＨ伝送(上りリンク)のためのリソースグラント
【００６０】
●  フォーマット１：単一コードワード  ＰＤＳＣＨの伝送(伝送モード１，２及び７)のためのリソース割り当て
【００６１】
●  フォーマット１Ａ：単一コードワード  ＰＤＳＣＨ(全てのモード)のためのリソース割り当てのコンパクトシグナリング
【００６２】
●  フォーマット１Ｂ：ランク−１  閉−ループ  プリコーディングを用いるＰＤＳＣＨ(モード６)のためのコンパクトリソースの割り当て
【００６３】
●  フォーマット１Ｃ：ＰＤＳＣＨ(例えば、ページング／ブロードキャスティングシステム情報)のための非常にコンパクトなリソースの割り当て
【００６４】
●  フォーマット１Ｄ：多重ユーザ  ＭＩＭＯを用いるＰＤＳＣＨ(モード５)のためのコンパクトなリソースの割り当て
【００６５】
●  フォーマット２：閉−ループ  ＭＩＭＯ動作のＰＤＳＣＨ(モード４)のためのリソースの割り当て
【００６６】
●  フォーマット２Ａ：開−ループ  ＭＩＭＯ動作のＰＤＳＣＨ(モード３)のためのリソースの割り当て
【００６７】
●  フォーマット３／３Ａ：ＰＵＣＣＨ及びＰＵＳＣＨのために２ビット／１ビットのパワー調整値を有するパワーコントロールコマンド
【００６８】
図５はＬＴＥ(−Ａ)で使用される上りリンクサブフレームの構造を例示する図である。
【００６９】
図５を参照すると、サブフレーム５００は２つの０．５ｍｓスロット５０１で構成される。普通(Ｎｏｒｍａｌ)循環前置(Ｃｙｃｌｉｃ Ｐｒｅｆｉｘ、ＣＰ)の長さを仮定した時、各々のスロットは７つのシンボル５０２で構成され、１つのシンボルは１つのＳＣ−ＦＤＭＡシンボルに対応する。リソースブロック(Ｒｅｓｏｕｒｃｅ Ｂｌｏｃｋ、ＲＢ)５０３は周波数領域で１２つの副搬送波、また時間領域で１つのスロットに該当するリソース割り当て単位である。ＬＴＥ(−Ａ)の上りリンクサブフレームの構造は大きくデータ領域５０４と制御領域５０５に区分される。データ領域は各々の端末に伝送される音声、パケットなどのデータ送信に使用される通信リソースを意味し、ＰＵＳＣＨ(Ｐｈｙｓｉｃａｌ Ｕｐｌｉｎｋ Ｓｈａｒｅｄ Ｃｈａｎｎｅｌ)を含む。制御領域は上りリンク制御信号、例えば、各々の端末からの下りリンクチャネル品質報告、下りリンク信号に対する受信ＡＣＫ／ＮＡＣＫ、上りリンクスケジューリング要請などの伝送に使用される通信リソースを意味し、ＰＵＣＣＨ(Ｐｈｙｓｉｃａｌ Ｕｐｌｉｎｋ Ｃｏｎｔｒｏｌ Ｃｈａｎｎｅｌ)を含む。サウンディング参照信号(Ｓｏｕｎｄｉｎｇ Ｒｅｆｅｒｅｎｃｅ Ｓｉｇｎａｌ、ＳＲＳ)は１つのサブフレームで時間軸上で最後に位置するＳＣ−ＦＤＭＡシンボルを介して伝送される。同じサブフレームの最後のＳＣ−ＦＤＭＡで伝送される複数の端末のＳＲＳは、周波数位置／シーケンスによって区分できる。ＳＲＳは上りリンクのチャネル状態を基地局に伝送するために使用され、上り階層(例えば、ＲＲＣ階層)により設定されたサブフレームの周期／オフセットによって周期的に伝送されるか、或いは基地局の要請によって非周期的に伝送される。
【００７０】
図６はＳＣ−ＦＤＭＡ方式とＯＦＤＭＡ方式を例示する図である。３ＧＰＰシステムにおいては、下りリンクでＯＦＤＭＡを採用し、上りリンクでＳＣ−ＦＤＭＡを採用する。
【００７１】
図６を参照すると、上りリンクの信号伝送のための端末及び下りリンクの信号伝送のための基地局はいずれも直列−並列コンバーター４０１(Ｓｅｒｉａｌ−ｔｏ−Ｐａｒａｌｌｅｌ Ｃｏｎｖｅｒｔｅｒ)、副搬送波マッパー４０３(ｍａｐｐｅｒ)、Ｍ−ポイントＩＤＦＴモジュール４０４及びＣＰ(Ｃｙｃｌｉｃ Ｐｒｅｆｉｘ)追加モジュール４０６を含む点で同一である。但し、ＳＣ−ＦＤＭＡ方式で信号を伝送するための端末は、さらにＮ−ポイントＤＦＴモジュール４０２を含む。Ｎ−ポイントＤＦＴモジュール４０２は、Ｍ−ポイントＩＤＦＴモジュール４０４のＩＤＦＴ処理影響を一定部分相殺することにより伝送信号が単一搬送波特性(ｓｉｎｇｌｅ ｃａｒｒｉｅｒ ｐｒｏｐｅｒｔｙ)を有するようにする。
【００７２】
次に、ＨＡＲＱ(Ｈｙｂｒｉｄ Ａｕｔｏｍａｔｉｃ Ｒｅｐｅａｔ ｒｅＱｕｅｓｔ)について説明する。無線通信システムにおいて、上り／下りリンクで伝送するデータを有する端末が多数存在する時、基地局は伝送単位時間(Ｔｒａｎｓｍｉｓｓｉｏｎ Ｔｉｍｅ Ｉｎｔｅｒｖａｌ、ＴＴＩ)(例えば、サブフレーム)ごとにデータを伝送する端末を選択する。多重搬送波及びこれと同様に運営されるシステムにおいて、基地局はＴＴＩごとに上り／下りリンクでデータを伝送する端末を選択し、該当端末がデータ伝送のために使用する周波数帯域も一緒に選択する。
【００７３】
上りリンクを基準として説明すると、複数の端末は上りリンクを介して参照信号(又はパイロット)を伝送し、基地局は端末から伝送された参照信号を用いて端末のチャネル状態を把握してＴＴＩごとに各々の単位周波数帯域において上りリンクを介してデータを伝送する端末を選択する。基地局はその結果を端末に通知する。即ち、基地局は、特定のＴＴＩに上りリンクスケジューリングされた端末に特定の周波数帯域を用いてデータを伝送せよという上りリンク割り当てメッセージ(ａｓｓｉｇｎｍｅｎｔ ｍｅｓｓａｇｅ)を伝送する。上りリンク割り当てメッセージは、ＵＬグラント(ｇｒａｎｔ)とも称される。端末は上りリンク割り当てメッセージによってデータを上りリンクに伝送する。上りリンク割り当てメッセージは、端末ＩＤ(ＵＥ Ｉｄｅｎｔｉｔｙ)、ＲＢ割り当て情報、ＭＣＳ(Ｍｏｄｕｌａｔｉｏｎ ａｎｄ Ｃｏｄｉｎｇ Ｓｃｈｅｍｅ)、ＲＶ(Ｒｅｄｕｎｄａｎｃｙ Ｖｅｒｓｉｏｎ)バージョン、新規データ指示者(Ｎｅｗ Ｄａｔａ ｉｎｄｉｃａｔｉｏｎ、ＮＤＩ)などを含む。
【００７４】
同期(Ｓｙｎｃｈｒｏｎｏｕｓ)ＨＡＲＱ方式の場合、再伝送時間はシステム的に約束されている(例えば、ＮＡＣＫ受信時点から４サブフレーム後)(同期ＨＡＲＱ)。従って、基地局が端末に送信するＵＬグラントメッセージは初期伝送時にのみ送信すればいい。その後の再伝送はＡＣＫ／ＮＡＣＫ信号(例えば、ＰＨＩＣＨ信号)により行われる。非同期ＨＡＲＱ方式の場合、再伝送時間を互いに約束していないため、基地局が端末に再伝送要請メッセージを出さなければならない。また非適応(ｎｏｎ−ａｄａｐｔｉｖｅ)ＨＡＲＱ方式の場合は、再伝送のための周波数リソースやＭＣＳは以前の伝送と同一であり、適応ＨＡＲＱ方式の場合、再伝送のための周波数リソースやＭＣＳが以前の伝送と異なることができる。一例として、非同期適応ＨＡＲＱ方式の場合、再伝送のための周波数リソースやＭＣＳが伝送時点ごとに異なるので、再伝送要請メッセージは端末ＩＤ、ＲＢ割り当て情報、ＨＡＲＱプロセスＩＤ／番号、ＲＶ、ＮＤＩ情報を含むことができる。
【００７５】
図７はＬＴＥ(−Ａ)システムにおいてＵＬ  ＨＡＲＱ動作を例示する図である。ＬＴＥ(−Ａ)システムにおいて、ＵＬ  ＨＡＲＱ方式は同期非適応ＨＡＲＱを使用する。８チャネルＨＡＲＱを使用する場合、ＨＡＲＱプロセス番号は０〜７である。ＴＴＩ(例えば、サブフレーム)ごとに１つのＨＡＲＱプロセスが動作する。図7を参照すると、基地局１１０はＰＤＣＣＨを介してＵＬグラントを端末１２０に伝送する(Ｓ６００)。端末１２０はＵＬグラントを受信した時点(例えば、サブフレーム０)から４サブフレーム後(例えば、サブフレーム４)にＵＬグラントにより指定されたＲＢ及びＭＣＳを用いて基地局１１０に上りリンクデータを伝送する(Ｓ６０２)。基地局１１０は端末１２０から受信した上りリンクデータを復号した後、ＡＣＫ／ＮＡＣＫを生成する。上りリンクデータに対する復号が失敗した場合、基地局１１０は端末１２０にＮＡＣＫを伝送する(Ｓ６０４)。端末１２０はＮＡＣＫを受信した時点から４サブフレーム後に上りリンクデータを再伝送する(Ｓ６０６)。上りリンクデータの初期伝送と再伝送は同じＨＡＲＱプロセッサが担当する(例えば、ＨＡＲＱプロセス４)。ＡＣＫ／ＮＡＣＫ情報はＰＨＩＣＨを介して伝送される。
【００７６】
図８はキャリア併合(Ｃａｒｒｉｅｒ Ａｇｇｒｅｇａｔｉｏｎ、ＣＡ)通信システムを例示する。
【００７７】
図８を参照すると、複数のＵＬ／ＤＬコンポーネントキャリア(Ｃｏｍｐｏｎｅｎｔ  Ｃａｒｒｉｅｒ、ＣＣ)はより広いＵＬ／ＤＬ帯域幅を支援することができる。ＣＣは周波数領域で互いに隣接するか隣接しない。各ＣＣの帯域幅は独立的に決定できる。ＵＬ  ＣＣの数とＤＬのＣＣの数が異なる非対称キャリアの併合も可能である。なお、制御情報は特定のＣＣを通じてのみ送受信できるように設定される。この特定のＣＣをプライマリーＣＣと称し、その他のＣＣをセカンダリーＣＣと称する。一例として、クロス−キャリアスケジューリング(ｃｒｏｓｓ−ｃａｒｒｉｅｒ ｓｃｈｅｄｕｌｉｎｇ)(又はクロス−ＣＣスケジューリング)が適用される場合、下りリンク割り当てのためのＰＤＣＣＨはＤＬ  ＣＣ＃０に伝送され、該当ＰＤＳＣＨはＤＬ  ＣＣ＃２に伝送される。用語‘コンポーネントキャリア’は等価の他の用語(例えば、キャリア、セルなど)に代替できる。
【００７８】
クロス−ＣＣスケジューリングのために、ＣＩＦ(ｃａｒｒｉｅｒ ｉｎｄｉｃａｔｏｒ ｆｉｅｌｄ)が使用される。ＰＤＣＣＨ内にＣＩＦの存在又は不在のための設定が、半−静的に端末−特定(又は端末グループ−特定)に上位階層シグナリング(例えば、ＲＲＣシグナリング)によって可能になる(ｅｎａｂｌｅ)。以下、ＰＤＣＣＨ伝送の基本事項を整理する。
【００７９】
■  ＣＩＦディセーブルド(ｄｉｓａｂｌｅｄ)：ＤＬ  ＣＣ上のＰＤＣＣＨは同じＤＬ  ＣＣ上のＰＤＳＣＨリソースを割り当てるか一つのリンクされたＵＬ  ＣＣ上のＰＵＳＣＨリソースを割り当てる
【００８０】
●  Ｎｏ  ＣＩＦ
【００８１】
■  ＣＩＦイネーブルド(ｅｎａｂｌｅｄ)：ＤＬ  ＣＣ上のＰＤＣＣＨはＣＩＦを用いて複数の併合されたＤＬ／ＵＬ  ＣＣのうち特定のＤＬ／ＵＬ  ＣＣ上のＰＤＳＣＨ又はＰＵＳＣＨリソースを割り当てることができる
【００８２】
●  ＣＩＦを有するように拡張されたＬＴＥ  ＤＣＩフォーマット
【００８３】
−  ＣＩＦ(設定された場合)は固定されたｘ−ビットフィールド(例えば、Ｘ＝３)
【００８４】
−  ＣＩＦ(設定された場合)の位置はＤＣＩフォーマットサイズに関係なく固定される。
【００８５】
ＣＩＦの存在時、基地局は端末側のＢＤ複雑度を低くするために、モニタリングＤＬ  ＣＣ(セット)を割り当てることができる。ＰＤＳＣＨ／ＰＵＳＣＨスケジューリングのために、端末は該当ＤＬ  ＣＣでのみＰＤＣＣＨの検出／復号を行う。また基地局はモニタリングＤＬ  ＣＣ(セット)を通じてのみＰＤＣＣＨを伝送できる。モニタリングＤＬ  ＣＣセットは端末−特定、端末−グループ−特定又はセル−特定の方式でセットされる。
【００８６】
図９は複数のキャリアが併合された場合のスケジューリングを例示する。３個のＤＬ  ＣＣが併合され、ＤＬ  ＣＣＡがＰＤＣＣＨモニタリングＤＬ  ＣＣに設定された場合を例示する。 ＤＬ  ＣＣＡ〜ＣはサービングＣＣ、サービングキャリア、サービングセルなどと言える。ＣＩＦがディセーブルされた場合、それぞれのＤＬ  ＣＣはＬＴＥ  ＰＤＣＣＨ規則に従ってＣＩＦなしに自分のＰＤＳＣＨをスケジュールするＰＤＣＣＨのみを送信することができる(非クロス−ＣＣ  スケジューリング)。反面、端末−特定(又は端末−グループ−特定又はセル−特定)の上位階層シグナリングによってＣＩＦが可能になると、特定のＣＣ(例えば、ＤＬ  ＣＣ  Ａ)はＣＩＦを用いてＤＬ  ＣＣ  ＡのＰＤＳＣＨをスケジューリングするＰＤＣＣＨだけではなく、他のＣＣのＰＤＳＣＨをスケジューリングするＰＤＣＣＨも伝送できる(クロス−ＣＣ  スケジューリング)。反面、ＤＬ  ＣＣ  Ｂ／ＣではＰＤＣＣＨが伝送されない。
【００８７】
一方、次世代ＲＡＴ(Ｒａｄｉｏ Ａｃｃｅｓｓ Ｔｅｃｈｎｏｌｏｇｙ)においては、データ伝送遅延(ｌａｔｅｎｃｙ)を最小化するために、自己完結(ｓｅｌｆ−ｃｏｎｔａｉｎｅｄ)サブフレームが考えられている。図１０は自己完結サブフレームの構造を例示している。図１０において、斜線領域はＤＬ制御領域を示し、黒色部分はＵＬ制御領域を示す。その他の領域はＤＬデータ伝送又はＵＬデータ伝送のために使用される。１つのサブフレーム内でＤＬ伝送とＵＬ伝送が順に行われるので、サブフレーム内でＤＬデータを出し、ＵＬ  ＡＣＫ／ＮＡＣＫを受けることができる。結果として、データ伝送エラーの発生時にデータ再伝送までにかかる時間を短縮させることにより、最終データ伝達の遅延を最小化することができる。
【００８８】
構成／設定が可能な自己完結サブフレームタイプの例として、少なくとも以下の４つのタイプが考えられる。各々の区間は時間順に並んでいる。
【００８９】
−ＤＬ制御区間＋ＤＬデータ区間＋ＧＰ(Ｇｕａｒｄ Ｐｅｒｉｏｄ)＋ＵＬ制御区間
【００９０】
−ＤＬ制御区間＋ＤＬデータ区間
【００９１】
−ＤＬ制御区間＋ＧＰ＋ＵＬデータ区間＋ＵＬ制御区間
【００９２】
−ＤＬ制御区間＋ＧＰ＋ＵＬデータ区間
【００９３】
ＤＬ制御区間ではＰＤＦＩＣＨ、ＰＨＩＣＨ、ＰＤＣＣＨが伝送され、ＤＬデータ区間ではＰＤＳＣＨが伝送される。ＵＬ制御区間ではＰＵＣＣＨが伝送され、ＵＬデータ区間ではＰＵＳＣＨが伝送される。ＧＰは基地局と端末が送信モードから受信モードに転換される過程又は受信モードから送信モードに転換される過程で時間ギャップを提供する。サブフレーム内においてＤＬからＵＬに転換される時点の一部ＯＦＤＭシンボルがＧＰと設定される。
【００９４】
実施例:ＣＡ ｓｃｈｅｍｅ ｂｅｔｗｅｅｎ ｄｉｆｆｅｒｅｎｔ ＯＦＤＭ ｎｕｍｅｒｏｌｏｇｉｅｓ
【００９５】
３ＧＰＰ ＮＲシステム環境では、１つの端末に併合される複数のセルの間にＯＦＤＭニューマロロジー、例えば、副搬送波間隔(ＳＣＳ)及びそれに基づくＯＦＤＭシンボル(ＯＳ)区間(ｄｕｒａｔｉｏｎ)の設定が異なる。これにより、同じ数のシンボルで構成された時間リソース(例えば、ＳＦ、スロット又はＴＴＩ)(便宜上、ＴＵ(Ｔｉｍｅ Ｕｎｉｔ)と統称)の(絶対時間)区間が併合されたセル間の設定が異なる。ここで、シンボルはＯＦＤＭシンボル、ＳＣ−ＦＤＭＡシンボルを含む。
【００９６】
図１１は３ＧＰＰ ＮＲに定義されたフレーム構造を例示する。ＬＴＥ／ＬＴＥ−Ａの無線フレーム構造のように(図２を参照)、３ＧＰＰ ＮＲにおいて１つの無線フレームは１０個のサブフレームで構成され、各サブフレームは１ｍｓの長さを有する。１つのサブフレームは１つ以上のスロットを含み、スロット長さはＳＣＳにより変化する。３ＧＰＰ ＮＲは１５ＫＨｚ、３０ＫＨｚ、６０ＫＨｚ、１２０ＫＨｚ、２４０ＫＨｚのＳＣＳを支援する。ここで、スロットは図１０のＴＴＩに対応する。
【００９７】
表４はＳＣＳによってスロットごとのシンボル数、フレームごとのスロット数及びサブフレームごとのスロット数が変化することを例示している。
【００９８】
【表４】
2020523937.tif 000006
【００９９】
これを勘案して、異なるＳＣＳ及びＯＳ区間を有するセル間のＣＡ状況におけるＤＬ／ＵＬデータ関連のＨＡＲＱ過程(例えば、ＳＣｅｌｌにおけるＤＬ／ＵＬデータ送信がＰＣｅｌｌからクロス−ＣＣスケジューリングされる場合、ＳＣｅｌｌにおけるＤＬデータ受信に対応するＡ／ＮフィードバックがＰＣｅｌｌにより送信される場合)について、以下のような動作方法を考慮できる。以下の発明は同じＳＣＳ及びＯＳ区間を有するセル間のＣＡ状況において、ＴＵ(例えば、スロット)区間がセルの間で異なるように設定された状況にも同様の原理を適用できる。
【０１００】
以下、ＮＲのフレーム構造を参照して、ＴＵがスロットである場合を主として本発明について説明する。システムによってＴＵは様々な時間リソース単位で定義される。また、以下の説明において、ＰＣｅｌｌはＰＵＣＣＨを送信するように設定されたセル(以下、ＰＵＣＣＨセル)に一般化されることができる。例えば、ＰＵＣＣＨセルは、ＰＵＣＣＨを送信するように設定された特定のＳＣｅｌｌ(例えば、Ｐｒｉｍａｒｙ Ｓｅｃｏｎｄａｒｙ Ｃｅｌｌ、ＰＳＣｅｌｌ)を含むことができる。また、データが送受信されるＳＣｅｌｌはデータセル又はスケジュールセルに一般化され、グラントＤＣＩが送信されるセルは制御セル又はスケジューリングセルに一般化されることができる。またセルはＣＣ(Ｃｏｍｐｏｎｅｎｔ Ｃａｒｒｉｅｒ)に代替できる。また、ＤＣＩはＰＤＣＣＨを介して送信され、ＵＬデータはＰＵＳＣＨを介して送信され、ＤＬデータはＰＤＳＣＨを介して送信されることができる。
【０１０１】
(Ａ)Ｃｒｏｓｓ−ＣＣ ｓｃｈｅｄｕｌｉｎｇ ｂｅｔｗｅｅｎ ｄｉｆｆｅｒｅｎｔ ＳＣＳ
【０１０２】
図１２は、大きいＳＣＳ(即ち、短いＯＳ区間、或いは短いＴＵ(例えば、スロット)区間)を有するセルＸが、小さいＳＣＳ(即ち、長いＯＳ区間、或いは長いＴＵ区間)を有するセルＹからスケジューリングされるように設定されたことを例示している。図１２を参照すると、セルＹの１つのＴＵからセルＸのＫ(Ｋ＞１)個のＴＵにおけるＤＬ／ＵＬデータ送信がスケジューリングされるように設定されることができる。セルＹの単一のＴＵとセルＸのＫ個(例えば、２の倍数)のＴＵは、同じ時間区間を有することができる。この場合、Ｏｐｔ１)セルＹの(単一のＴＵ内の)１つのＤＬ制御チャネル送信領域を介して、セルＸの互いに異なる(最大)Ｋ個のＴＵをスケジューリングするＤＬ／ＵＬグラントが同時に送信／検出されるか、又はＯｐｔ２)セルＹの単一のＴＵ内のＫ個のＤＬ制御チャネル送信領域が独立して構成／設定された状態で各領域を通じてセルＸにおける互いに異なる単一のＴＵをスケジューリングするＤＬ／ＵＬグラントが各々送信／検出されることができる。この場合、セルＹの単一のＴＵ区間に対応するセルＸのＫ個のＴＵのうち、どのＴＵがスケジューリングされるかがＤＬ／ＵＬグラントにより指示される。
【０１０３】
上記方法(特に、Ｏｐｔ１)において、複数のＤＣＩ同時検出／受信動作は、対応する複数のＤＬ／ＵＬデータチャネル(及びこれをスケジューリングするＤＬ／ＵＬグラントＤＣＩを運ぶ複数のＰＤＣＣＨ)に対する端末具現上の並列(デコーディング／エンコーディング)プロセシング能力によって支援が異なる。一例として、特定のＳＣＳで動作するスケジューリングセルＹと該当ＳＣＳよりＫ倍大きいＳＣＳで動作するスケジュールセルＸの間のクロス−ＣＣスケジューリング動作を支援する端末の場合、１つのＤＬ制御チャネル送信／探索(リソース)領域を通じて(少なくとも)最大Ｋ個のＤＬ(ＵＬ)グラントＤＣＩまで同時検出／受信できるように(これにより、最大Ｋ個のＤＬ(ＵＬ)データプロセシングを同時に行えるように)、端末能力／具現が規定されることができる。他の例として、(上記のようなクロス−ＣＣスケジューリングの設定下で)１つのＤＬ制御チャネル送信／探索(リソース)領域を通じて同時検出／受信できる最大のＤＬ(ＵＬ)グラントＤＣＩの数(例えば、Ｌｕ個)が、端末具現により変化することができる。これにより、端末は動作に関連する自分の能力(即ち、Ｌｕ値)を基地局に報告することができる。さらに他の例として、(図１２のようなクロス−ＣＣスケジューリングの設定下で)端末は、(１つのＤＬ制御チャネル送信／探索(リソース)領域を介して)ＤＬ(ＵＬ)グラントＤＣＩが最大いくつ(例えば、Ｌｃ個)まで(基地局から)同時スケジューリング／送信可能であるかが基地局により設定される。これにより、端末は最大Ｌｃ個のＤＬ(ＵＬ)グラントＤＣＩまで同時検出／受信が可能であると仮定した状態でブラインドデコーディングを行うことができる。
【０１０４】
上記方法／動作は、(ＤＬグラントＤＣＩ−ｔｏ−ＤＬデータタイミング(又はＵＬグラントＤＣＩ−ｔｏ−ＵＬデータタイミング)がＤＣＩにより動的に指示される状態で)任意のセルを介して送信されるＤＬ／ＵＬデータが該当セル自体で送信されるＤＣＩからスケジューリングされるセルフ−ＣＣスケジューリングの設定状況又は同じＳＣＳで動作するスケジュールセルＸとスケジューリングセルＹの間のクロス−ＣＣスケジューリングの設定状況にも同様に適用できる。例えば、１つのＤＬ制御チャネル送信／探索(リソース)領域により同時検出／受信可能な最大のＤＬ(ＵＬ)グラントＤＣＩの数(例えば、Ｌｕ個)が端末具現により変化することができ、これにより、端末は動作に関連する自分の能力(即ち、Ｌｕ値)を基地局に報告することができる。他の例として、端末は、(１つのＤＬ制御チャネル送信／探索(リソース)領域を介して)ＤＬ(ＵＬ)グラントＤＣＩが最大いくつ(例えば、Ｌｃ個)まで(基地局から)同時スケジューリング／送信できるかが基地局により設定される。これにより、端末は最大Ｌｃ個のＤＬ(ＵＬ)グラントＤＣＩまで同時検出／受信が可能であると仮定した状態でブラインドデコーディングを行うことができる。
【０１０５】
なお、１つのＣＣ(例えば、データＣＣ)により送信される互いに異なる複数のＤＬデータ(例えば、ＰＤＳＣＨ)をスケジューリングする複数のＤＬグラントＤＣＩが、特定のＣＣ(例えば、制御ＣＣ)内の同一の１つのスロット(該当スロット内の同一の制御リソースセット或いはＰＤＣＣＨ探索空間)により送信されるように設定される。制御ＣＣは端末がＰＤＣＣＨをモニタリングすべきＣＣを示し、クロス−ＣＣスケジューリングの設定によってデータの送受信が行われるＣＣ(即ち、データＣＣ)と同様に設定されるか、又はデータＣＣとは異なるＣＣに設定されることができる。なお、動的なＨＡＲＱ−ＡＣＫペイロード(コードブック)の構成を目的として、特定のＣＣを介して送信されるＤＬデータが(ＣＣインデックスに基づいて)何番目にスケジューリングされるか(及び／又は(現在スロットまで)総いくつのＤＬデータがスケジューリングされたか)をＤＬグラントＤＣＩにより知らせるｃｏｕｎｔｅｒ−ＤＡＩ(及び／又はｔｏｔａｌ−ＤＡＩ)シグナリングが適用されることができる。同一のデータＣＣで送信される複数のＤＬデータに対応する複数のＤＬグラントＤＣＩが制御ＣＣ内の同一のスロット(該当スロット内の同一の制御リソースセット或いはＰＤＣＣＨ探索空間)で送信される場合、該当複数のＤＣＩによりシグナリングされるｃｏｕｎｔｅｒ−ＤＡＩ値の順序／サイズを決定する基準が必要である。このために、以下のインデックスによりｃｏｕｎｔｅｒ−ＤＡＩ値を決定する(例えば、低いインデックスに小さいｃｏｕｎｔｅｒ−ＤＡＩ値を対応させる)方法が考えられる。
【０１０６】
１)ＣＣＥインデックス
【０１０７】
２)ＤＬグラントＤＣＩ送信に使用されたＰＤＣＣＨ候補のインデックス
【０１０８】
３)ＤＬグラントＰＤＣＣＨが送信されたＰＤＣＣＨ検索空間或いは制御リソースセットのインデックス
【０１０９】
４)ＤＬデータが送信された(データＣＣの)スロットインデックス
【０１１０】
５)ＤＬデータ送信に割り当てられた最初又は最後のシンボルインデックス
【０１１１】
６)ＲＲＣに設定された(スロットオフセット／開始シンボル／区間を組み合わせた)ＤＬデータリソース候補のインデックス
【０１１２】
図１３は小さいＳＣＳ(即ち、長いＯＳ、或いは長いＴＵ区間)を有するセルＸが、大きいＳＣＳ(即ち、短いＯＳ、或いは短いＴＵ区間)を有するセルＹからスケジューリングされるように設定されたことを例示している。図１３を参照すると、セルＹのＮ(Ｎ＞１)個のＴＵ全体或いはそのうちの特定の一部(例えば、１つ)のＴＵからセルＸの単一のＴＵにおけるＤＬ／ＵＬデータ送信がスケジューリングされるように設定できる。セルＹのＮ個(例えば、２の倍数)のＴＵとセルＸの単一のＴＵは、同じ時間区間を有することができる(便宜上、セルＸの単一のＴＵに整列(ａｌｉｇｎ)されたセルＹのＮ個のＴＵと称する)。この場合、Ｏｐｔ１)セルＹのＮ個のＴＵ全体或いはそのうちの特定の一部に該当する複数のＴＵ(即ち、ＴＵグループ)に属する１つのＴＵを介して、セルＸの１つのＴＵをスケジューリングするＤＬ／ＵＬグラントが送信／検出されるか(図１３(ａ))、又はＯｐｔ２)セルＹのＮ個のＴＵのうち、特定の１つのＴＵ(例えば、Ｎ個のＴＵのうち、時間上最初のＴＵ或いはセルＸのＴＵ内の最初のＯＳと時間がオーバーラップするセルＹのＴＵ)を介してのみセルＸの１つのＴＵをスケジューリングするＤＬ／ＵＬグラントが送信／検出されることができる(図１３(ｂ))。
【０１１３】
上記方法(特に、Ｏｐｔ１)において、ＤＣＩ同時検出／受信動作は、対応するＤＬ／ＵＬデータチャネルに対する端末具現上のバッファリングプロセシング能力によって支援が異なる。一例として、特定のＳＣＳで動作するスケジュールセルＸと該当ＳＣＳよりＮ倍大きいＳＣＳで動作するスケジューリングセルＹの間のクロス−ＣＣスケジューリング動作を支援する端末の場合、セルＸのＴＵに整列(ａｌｉｇｎ)されたセルＹのＮ個のＴＵのうち、どのＴＵを介しても該当セルＸのＴＵをスケジューリングするＤＬ(ＵＬ)グラントＤＣＩを検出／受信できるように(これによるＤＬデータのバッファリングプロセシングを行えるように)端末能力／具現が規定されることができる。他の例として、(図１３のようなクロス−ＣＣスケジューリングの設定下で)整列(ａｌｉｇｎ)されたセルＹのＮ個のＴＵのうち、セルＸのＴＵをスケジューリングするＤＬ(ＵＬ)グラントＤＣＩの検出／受信が可能な(セルＹの)ＴＵタイミングが端末具現によって変化することができる。これにより、端末は上記動作に関連する自分の能力(即ち、セルＸのＴＵをスケジューリングするＤＬ(ＵＬ)グラントＤＣＩの検出／受信が可能なセルＹのＴＵタイミング情報)を基地局に報告することができる。さらに他の例として、(図１３のようなクロス−ＣＣスケジューリングの設定下で)整列(ａｌｉｇｎ)されたセルＹのＮ個のＴＵのうち、(その開始シンボル／時点が)該当セルＸのＴＵを介して送信されるＤＬ(ＵＬ)データの開始シンボル／時点より早いか又はこれと同一の(セルＹの)ＴＵを介してのみセルＸのＴＵをスケジューリングするＤＬ(ＵＬ)グラントＤＣＩ検出／受信ができるように制限されることができる。
【０１１４】
なお、Ｏｐｔ１の場合、ＴＵグループ内でＤＬ／ＵＬグラントが送信されるＴＵタイミングは時変でき、ＴＵグループ内においてＤＬ／ＵＬグラントの各々が互いに異なるＴＵを介して送信されることができる。これにより、端末は該当ＴＵグループに属する全てのＴＵ内のＤＬ制御チャネル送信領域について時間順にブラインドデコーディング動作を行うことができ、セルＹの１つのＴＵグループ内でセルＸに対するＤＬ／ＵＬグラントが全て検出された時点以後の残りのＴＵ内のＤＬ制御チャネル送信領域についてはブラインドデコーディング動作を省略することができる。また、Ｏｐｔ１の場合、セルＸの単一のＴＵスケジューリングに割り当てられたＤＬ制御チャネルに対するブラインドデコーディング回数(例えば、Ｎｂ回)が、セルＹのＴＵグループを構成する複数の(例えば、Ｎｓ個)ＴＵに分配される(例えば、各ＴＵにおいて(Ｎｂ／Ｎｓ)回のブラインドデコーディングを行う)形態で端末のＤＬ制御チャネル検出動作が行われることができる。なお、Ｏｐｔ２において、セルＹのＮ個のＴＵのうち、セルＸに対するＤＬ／ＵＬグラントを送信する特定の１つのＴＵは、上位階層信号(例えば、ＲＲＣシグナリング)などにより設定されるか、又は予め定義された規則(例えば、セルＸのＴＵと同じ時点にいるセルＹのＮ個のＴＵのうち、最初のＴＵ)に基づいて自動指定されることができる。 
【０１１５】
なお、大きいＴＵ長さを有するセルＸが小さいＴＵ長さを有するセルＹをクロス−ＣＣスケジューリングするように設定された場合、セルＸの単一のＴＵにおいて、セルＹの複数のＴＵに対するスケジューリング(これに伴うＤＬ／ＵＬグラントＤＣＩ送信)を行わなければならないので、ＤＬ制御のリソース負担が加重することができる。これを考慮して、(スケジューリング)セルＸの長いＴＵ長さと(スケジュール)セルＹの短いＴＵ長さの間の差が特定水準以下である場合(例えば、セルＸのＴＵがセルＹのＴＵに対して特定倍数以下である場合)についてのみクロス−ＣＣスケジューリングを許容するように動作することができる。さらに他の方法として、長いＴＵのセルＸからクロス−ＣＣスケジューリングされるように設定される短いＴＵのセルＹの数を特定値以下に制限する方法が考えられる。
【０１１６】
(Ｂ)ＨＡＲＱ−ＡＣＫ ｔｉｍｉｎｇ ｆｏｒ ＣＡ ｗｉｔｈ ｄｉｆｆｅｒｅｎｔ ＳＣＳ
【０１１７】
１)ＤＬデータ−ｔｏ−ＨＡＲＱ−ＡＣＫ
【０１１８】
３ＧＰＰ ＮＲシステムのＣＡ状況では、ＤＬデータが送信されたセル(例えば、ＳＣｅｌｌ)と該当ＤＬデータ受信に対応するＡ／Ｎフィードバックが送信されるセル(例えば、ＰＣｅｌｌ)の間にＳＣＳ或いはＯＳ区間(或いはＴＵ長さ)が互いに異なるように設定されることができる。この時、Ａ／Ｎタイミング(例えば、ＤＬデータ受信とＡ／Ｎ送信の間の遅延)は、Ｏｐｔ１−１)ＤＬデータ送信ＳＣｅｌｌのＴＵ長さを基準として設定されるか(例えば、Ａ／Ｎタイミング(候補セット)をＳＣｅｌｌ ＴＵ長さの倍数に設定)、又はＯｐｔ１−２)Ａ／Ｎフィードバック送信ＰＣｅｌｌのＴＵ長さを基準として設定することができる(例えば、Ａ／Ｎタイミング(候補セット)をＰＣｅｌｌＴＵ長さの倍数に設定)。Ｏｐｔ１−１はＤＬデータ送信(例えば、ＰＤＳＣＨ送信)に使用されたニューマロロジーに基づいてＡ／Ｎタイミングを設定することと理解でき、Ｏｐｔ１−２はＡ／Ｎ送信(例えば、ＰＵＣＣＨ送信)に使用されたニューマロロジーに基づいてＡ／Ｎタイミングを設定することと理解できる。便宜上、Ｏｐｔ１−１／２によって設定されたＡ／Ｎタイミングをｔｅｍｐ Ａ／Ｎタイミングと称する。ここで、Ａ／Ｎタイミングに関する情報(例えば、ＴＵの数)は、ＤＬデータをスケジューリングするＤＬグラントにより指示できる。
【０１１９】
まず、Ｏｐｔ１−１の場合に実際に適用されるＰＣｅｌｌ上のａｃｔｕａｌ Ａ／Ｎタイミングは、ＳＣｅｌｌ上のＤＬデータ受信時点からｔｅｍｐ Ａ／Ｎタイミング(例えば、Ｎ個のＳＣｅｌｌＴＵに該当する時間)以後の時点と時間がオーバーラップする時点或いは該当時点を含めてその後に存在する最も早いＰＣｅｌｌ上のＴＵ(或いは(Ａ／Ｎ用)ＵＬ制御チャネル送信)区間に決定できる。具体的に、ＤＬデータ受信時点をＳＣｅｌｌ ＴＵ＃ｋと仮定すると、ＰＣｅｌｌ ＴＵ長さ＜ＳＣｅｌｌ ＴＵ長さの場合には、ＳＣｅｌｌ ＴＵ＃(ｋ＋Ｎ)と同じ時点にいる複数のＰＣｅｌｌ ＴＵのうち、特定(例えば、最初或いは最後)の１つのＰＣｅｌｌ ＴＵ＃ｎがａｃｔｕａｌ Ａ／Ｎタイミングとして決定されることができる。ここで、ＳＣｅｌｌ ＴＵ＃(ｋ＋Ｎ)と同じ時点にいる複数のＰＣｅｌｌ ＴＵのうち、ａｃｔｕａｌ Ａ／ＮタイミングになるＰＣｅｌｌ ＴＵ＃ｎは、上位階層信号(例えば、ＲＲＣシグナリング)などにより設定されるか、ＤＬグラントＤＣＩなどにより動的に指示されるか、又は予め定義された規則(例えば、複数のＰＣｅｌｌ ＴＵのうち、最初或いは最後のＴＵ)に基づいて自動に指定されることができる。さらに、ＤＬグラントにより指示される候補Ａ／Ｎタイミングの種類は、ＳＣｅｌｌのＤＬデータがＰＣｅｌｌのＤＬデータより少ない種類を有するように(例えば、２つのセルのＴＵ長さがＮ倍の関係である場合、１／Ｎに相応する値で)設定されることができる。この場合、各セルのＤＬデータに対応する候補Ａ／Ｎタイミングの間の間隔は、２つのセルが同一に設定されることができる。
【０１２０】
逆に、ＰＣｅｌｌ ＴＵ長さ＞ＳＣｅｌｌ ＴＵ長さの場合には、ＳＣｅｌｌ ＴＵ＃(ｋ＋Ｎ)と同じ時点にいるＰＣｅｌｌ ＴＵ＃ｎ又は直後のＴＵであるＰＣｅｌｌ ＴＵ＃(ｎ＋１)がａｃｔｕａｌ ＨＡＲＱタイミングで決定されることができる。ここで、ＰＣｅｌｌ ＴＵ＃ｎとＰＣｅｌｌ ＴＵ＃(ｎ＋１)のうち、ａｃｔｕａｌ Ａ／ＮタイミングになるＴＵは、上位階層信号(例えば、ＲＲＣシグナリング)などにより設定されるか、ＤＬグラントＤＣＩなどにより動的に指示されるか、又は予め定義された規則に基づいて自動指定されることができる。例えば、予め定義された規則によって、ＰＣｅｌｌ ＴＵ＃ｎとＰＣｅｌｌ ＴＵ＃(ｎ＋１)のうち、ａｃｔｕａｌ Ａ／ＮタイミングになるＴＵは、ＰＣｅｌｌにおけるＰＵＣＣＨ送信区間又はシンボル数が特定値以下であると、ＰＣｅｌｌ ＴＵ＃ｎに、特定値を超えると、ＰＣｅｌｌ ＴＵ＃(ｎ＋１)に指定されるか、及び／又はＰＣｅｌｌ ＴＵ＃ｎと同じ時点にいる複数のＳＣｅｌｌ ＴＵのうち、ＳＣｅｌｌ ＴＵ＃(ｋ＋Ｎ)の順が特定値以下であると、ＰＣｅｌｌ ＴＵ＃ｎに、特定値を超えると、ＰＣｅｌｌ ＴＵ＃(ｎ＋１)に指定されることができる。
【０１２１】
さらに、ＤＬグラントにより指示される候補Ａ／Ｎタイミング間の間隔(Ｎ)は、ＳＣｅｌｌのＤＬデータがＰＣｅｌｌのＤＬデータより大きい間隔を有するように(例えば、２つのセルのＴＵ長さがＮ倍の関係である場合、該当Ｎ値の倍数で)設定されることができる。この場合、候補Ａ／Ｎタイミングの種類は、２つのセルが同じ種類を有するように設定されることができる。
【０１２２】
また、Ｏｐｔ１−２の場合に実際に適用されるＰＣｅｌｌ上のａｃｔｕａｌ Ａ／Ｎタイミングは、ＳＣｅｌｌ上のＤＬデータ受信時点と時間がオーバーラップする時点或いは該当時点を含めてその後に存在する最も早いＰＣｅｌｌ上のＴＵ(或いは(Ａ／Ｎ用)ＵＬ制御チャネル送信)区間からｔｅｍｐ Ａ／Ｎタイミング(例えば、Ｍ個のＰＣｅｌｌ ＴＵに該当する時間)以後のＴＵ(或いは(Ａ／Ｎ用)ＵＬ制御チャネル送信)区間に決定されることができる。具体的に、ＤＬデータ受信時点をＳＣｅｌｌ ＴＵ＃ｎと仮定すると、ＰＣｅｌｌ ＴＵ長さ＜ＳＣｅｌｌ ＴＵ長さの場合(即ち、ＰＣｅｌｌ ＳＣＳ＞ＳＣｅｌｌ ＳＣＳ)には、ＳＣｅｌｌ ＴＵ＃ｎと同じ時点にいる複数のＰＣｅｌｌ ＴＵのうち、特定の(例えば、最初或いは最後の)１つのＰＣｅｌｌ ＴＵ＃ｋに基づいてＰＣｅｌｌ ＴＵ＃(ｋ＋Ｍ)がａｃｔｕａｌ Ａ／Ｎタイミングとして決定されることができる。ここで、"複数のＰＣｅｌｌ ＴＵのうち、特定の１つのＰＣｅｌｌ ＴＵ＃ｋ"(以下、ＨＡＲＱ−ＡＣＫ ｒｅｆｅｒｅｎｃｅ ＴＵ)は、上位階層信号(例えば、ＲＲＣシグナリング)などにより設定されるか、ＤＬグラントＤＣＩなどにより動的に指示されるか、又は予め定義された規則(例えば、複数のＰＣｅｌｌＴＵのうち、最初の或いは最後のＴＵ)に基づいて指定されることができる。逆に、ＰＣｅｌｌ ＴＵ長さ＞ＳＣｅｌｌ ＴＵ長さ又はＰＣｅｌｌ ＴＵ長さ＝ＳＣｅｌｌ ＴＵ長さの場合(即ち、ＰＣｅｌｌ ＳＣＳ≦ＳＣｅｌｌ ＳＣＳ)には、ＳＣｅｌｌ ＴＵ＃ｎと同じ時点にいるＰＣｅｌｌ ＴＵ＃ｋに基づいてＰＣｅｌｌ ＴＵ＃(ｋ＋Ｍ)がａｃｔｕａｌ Ａ／Ｎタイミングとして決定されることができる。
【０１２３】
なお、長いＴＵ長さを有するセルＸにより短いＴＵ長さを有するセルＹにおけるＤＬデータ受信に対するＡ／Ｎを送信するように(即ち、クロス−ＣＣ ＵＣＩ送信が)設定される場合、セルＸの単一のＴＵでセルＹの複数のＤＬデータに対する複数のＡ／Ｎ送信(これに伴うＰＵＣＣＨ送信)を行う必要があるので、ＵＬ制御リソース負担が加重することができる。これを考慮して、(ＵＬ制御)セルＸの長いＴＵ長さと(ＤＬデータ)セルＹの短いＴＵ長さの間の差が特定水準以下である場合(例えば、セルＸのＴＵがセルＹのＴＵに対して特定倍数以下である場合)にのみクロス−ＣＣ ＵＣＩ送信を許容するように動作することができる。他の方法として、長いＴＵの(ＵＬ制御)セルＸによりＵＣＩが送信されるように設定される(ＤＬデータ)短いＴＵのセルＹの数を特定値以下に制限することもできる。
【０１２４】
２)ＵＬグラントＤＣＩ−ｔｏ−ＵＬデータ
【０１２５】
ＵＬ ＨＡＲＱの場合にもＵＬグラントが送信されたセル(例えば、ＰＣｅｌｌ)と該当ＵＬグラントに対応するＵＬデータ送信が行われるセル(例えば、ＳＣｅｌｌ)の間にＳＣＳ或いはＯＳ区間(或いはＴＵ長さ)が互いに異なるように設定されることができる。この場合、ＨＡＲＱタイミング(例えば、ＵＬグラント受信とＵＬデータ送信の間の遅延)は、Ｏｐｔ２−１)ＵＬグラント送信ＰＣｅｌｌのＴＵ長さに基づいて設定されるか(例えば、ＨＡＲＱタイミング(候補セット)をＰＣｅｌｌ ＴＵ長さの倍数に設定)、又はＯｐｔ２−２)ＵＬデータ送信ＳＣｅｌｌのＴＵ長さに基づいて設定されることができる(例えば、ＨＡＲＱタイミング(候補セット)をＳＣｅｌｌ ＴＵ長さの倍数に設定)。Ｏｐｔ２−１は、ＵＬグラント送信(例えば、ＰＤＣＣＨ送信)に使用されるニューマロロジーに基づいてＨＡＲＱタイミングを設定することと理解でき、Ｏｐｔ２−２はＵＬデータ送信(例えば、ＰＵＳＣＨ送信)に使用されるニューマロロジーに基づいてＨＡＲＱタイミングを設定することと理解できる。便宜上、Ｏｐｔ２−１／２によって設定されたＨＡＲＱタイミングをｔｅｍｐ ＨＡＲＱタイミングと称する。ここで、ＨＡＲＱタイミングに関する情報(例えば、ＴＵ数)はＵＬグラントにより指示されることができる。
【０１２６】
まず、Ｏｐｔ２−１の場合に実際に適用されるＳＣｅｌｌ上のａｃｔｕａｌ ＨＡＲＱタイミングは、ＰＣｅｌｌ上のＵＬグラント受信時点からｔｅｍｐ ＨＡＲＱタイミング(例えば、Ｋ個のＰＣｅｌｌ ＴＵに該当する時間)以後の時点と時間がオーバーラップする時点或いは該当時点を含めてその後に存在する最も早いＳＣｅｌｌ上のＴＵ(或いはＵＬデータチャネル送信)区間に決定される。
【０１２７】
なお、Ｏｐｔ２−２の場合に実際に適用されるＳＣｅｌｌ上のａｃｔｕａｌ ＨＡＲＱタイミングは、ＰＣｅｌｌ上のＵＬグラント受信時点と時間がオーバーラップする時点、或いは該当時点を含めてその後に存在する最も早いＳＣｅｌｌ上のＴＵ(或いはＵＬデータチャネル送信)区間からｔｅｍｐ ＨＡＲＱタイミング(例えば、Ｌ個のＳＣｅｌｌ ＴＵに該当する時間)以後のＴＵ(或いはＵＬデータチャネル送信)区間に決定される。具体的には、ＵＬグラントの受信時点をＰＣｅｌｌ ＴＵ＃ｎと仮定すると、ＰＣｅｌｌ ＴＵ長さ＞ＳＣｅｌｌ ＴＵ長さの場合(即ち、ＰＣｅｌｌ ＳＣＳ＜ＳＣｅｌｌ ＳＣＳ)、ＰＣｅｌｌ ＴＵ＃ｎと同じ時点にいる複数のＳＣｅｌｌ ＴＵのうち、特定(例えば、最初或いは最後)の１つのＳＣｅｌｌ ＴＵ＃ｋに基づいてＳＣｅｌｌ ＴＵ＃(ｋ＋Ｌ)がａｃｔｕａｌ ＨＡＲＱタイミングとして決定されることができる。ここで、"複数のＳＣｅｌｌ ＴＵのうち、特定の１つのＳＣｅｌｌ ＴＵ＃ｋ"(以下、ＵＬ−ＨＡＲＱ ｒｅｆｅｒｅｎｃｅ ＴＵ)は、上位階層信号(例えば、ＲＲＣシグナリング)などにより設定されるか、ＵＬグラントＤＣＩなどにより動的に指示されるか、又は予め定義された規則(例えば、複数のＳＣｅｌｌ ＴＵのうち、最初或いは最後のＴＵ)に基づいて指定されることができる。逆に、ＰＣｅｌｌ ＴＵ長さ＜ＳＣｅｌｌ ＴＵ長さ又はＰＣｅｌｌ ＴＵ長さ＝ＳＣｅｌｌ ＴＵ長さの場合(即ち、ＰＣｅｌｌ ＳＣＳ≧ＳＣｅｌｌ ＳＣＳ)には、ＰＣｅｌｌ ＴＵ＃ｎと同じ時点にいるＳＣｅｌｌ ＴＵ＃ｋに基づいてＳＣｅｌｌ ＴＵ＃(ｋ＋Ｌ)がａｃｔｕａｌ ＨＡＲＱタイミングとして決定されることができる。
【０１２８】
３)ＤＬグラントＤＣＩ−ｔｏ−ＤＬデータ
【０１２９】
ＤＬＨＡＲＱの場合にも、ＤＬグラントが送信されたセル(例えば、ＰＣｅｌｌ)と該当ＤＬグラントに対応するＤＬデータ送信が行われるセル(例えば、ＳＣｅｌｌ)の間にＳＣＳ或いはＯＳ区間(或いはＴＵ長さ)が互いに異なるように設定されることができる。この場合、ＨＡＲＱタイミング(例えば、ＤＬグラント受信と対応するＤＬデータ送信間の遅延)は、Ｏｐｔ３−１)ＤＬグラント送信ＰＣｅｌｌのＴＵ長さに基づいて(例えば、ＨＡＲＱタイミング(候補セット)がＰＣｅｌｌ ＴＵ長さの倍数に)設定されるか、又はＯｐｔ３−２)ＤＬデータ送信ＳＣｅｌｌのＴＵ長さに基づいて(例えば、ＨＡＲＱタイミング(候補セット)がＳＣｅｌｌ ＴＵ長さの倍数に)設定されることができる。Ｏｐｔ３−１はＤＬグラント送信(例えば、ＰＤＣＣＨ送信)に使用されたニューマロロジーに基づいてＨＡＲＱタイミングを設定することと理解でき、Ｏｐｔ３−２はＤＬデータ送信(例えば、ＰＤＳＣＨ送信)に使用されたニューマロロジーに基づいてＨＡＲＱタイミングを設定することと理解できる。便宜上、Ｏｐｔ３−１／２によって設定されたＨＡＲＱタイミングをｔｅｍｐ ＨＡＲＱタイミングと称する。ここで、ＨＡＲＱタイミングに関する情報(例えば、ＴＵ数)はＤＬグラントにより指示される。
【０１３０】
まず、Ｏｐｔ３−１の場合に実際に適用されるＳＣｅｌｌ上のａｃｔｕａｌ ＨＡＲＱタイミングは、ＰＣｅｌｌ上のＤＬグラント受信時点からｔｅｍｐ ＨＡＲＱタイミング(例えば、Ｋ個のＰＣｅｌｌ ＴＵに該当する時間)以後の時点と時間がオーバーラップする時点或いは該当時点を含めてその後に存在する最も早いＳＣｅｌｌ上のＴＵ(或いはＤＬデータチャネル送信)区間に決定される。
【０１３１】
一方、Ｏｐｔ３−２の場合に実際に適用されるＳＣｅｌｌ上のａｃｔｕａｌ ＨＡＲＱタイミングは、ＰＣｅｌｌ上のＤＬグラント受信時点と時間がオーバーラップする時点或いは該当時点を含めてその後に存在する最も早いＳＣｅｌｌ上のＴＵ(或いはＤＬデータチャネル送信)区間からｔｅｍｐ ＨＡＲＱタイミング(例えば、Ｌ個のＳＣｅｌｌ ＴＵに該当する時間)以後のＴＵ(或いはＤＬデータチャネル送信)区間に決定される。具体的には、ＤＬグラントの受信時点をＰＣｅｌｌ ＴＵ＃ｎと仮定すると、ＰＣｅｌｌＴＵ長さ＞ＳＣｅｌｌＴＵ長さの場合(即ち、ＰＣｅｌｌ ＳＣＳ＜ＳＣｅｌｌ ＳＣＳ)、ＰＣｅｌｌＴＵ＃ｎと同じ時点にいる複数のＳＣｅｌｌ ＴＵのうち、特定(例えば、最初或い最後)の１つのＳＣｅｌｌ ＴＵ＃ｋに基づいてＳＣｅｌｌＴ Ｕ＃(ｋ＋Ｌ)がａｃｔｕａｌ ＨＡＲＱタイミングとして決定されることができる。ここで、"複数のＳＣｅｌｌ ＴＵのうち、 特定の１つのＳＣｅｌｌ ＴＵ＃ｋ"(以下、ＤＬ−ＨＡＲＱ ｒｅｆｅｒｅｎｃｅ ＴＵ)は、上位階層信号(例えば、ＲＲＣシグナリング)などにより設定されるか、ＤＬグラントＤＣＩなどにより動的に指示されるか、又は予め定義された規則(例えば、複数のＳＣｅｌｌＴＵのうち、最初或いは最後のＴＵ)に基づいて自動に指定されることができる。逆に、ＰＣｅｌｌＴＵ長さ＜ＳＣｅｌｌＴＵ長さ又はＰＣｅｌｌＴＵ長さ＝ＳＣｅｌｌＴＵ長さの場合(即ち、ＰＣｅｌｌ ＳＣＳ≧ＳＣｅｌｌ ＳＣＳ)には、ＰＣｅｌｌ ＴＵ＃ｎと同じ時点にいるＳＣｅｌｌ ＴＵ＃ｋに基づいてＳＣｅｌｌ ＴＵ＃(ｋ＋Ｌ)がａｃｔｕａｌ ＨＡＲＱタイミングとして決定されることができる。
【０１３２】
好ましくは、オプション１−２において、ＨＡＲＱ−ＡＣＫ ｒｅｆｅｒｅｎｃｅ ＴＵのための"複数のＰＣｅｌｌ ＴＵのうち、特定の１つのＰＣｅｌｌ ＴＵ＃ｋ"は、該当複数のＰＣｅｌｌ ＴＵのうち、最後のＴＵに指定することができる。ＤＬデータの受信後、Ａ／Ｎを送信するためには、一定のプロセシング時間が必要であるので、例えば、ＨＡＲＱ−ＡＣＫ ｒｅｆｅｒｅｎｃｅ ＴＵを複数のＰＣｅｌｌ ＴＵのうち、最初のＴＵに指定する場合、ＨＡＲＱ−ＡＣＫ ｒｅｆｅｒｅｎｃｅ ＴＵではＡ／Ｎ送信が行われることができない。従って、ＤＬグラントＤＣＩによりＡ／Ｎタイミングに対する情報が指示される場合、特定のＴＵ(例えば、ＨＡＲＱ−ＡＣＫ ｒｅｆｅｒｅｎｃｅ ＴＵ〜Ａ／Ｎ送信に必要なプロセシング時間内におけるＴＵ)を指示する情報は有効ではなく、Ａ／Ｎタイミングに関する情報のうちの一部を使用できず、シグナリング情報が制限される。例えば、Ａ／Ｎタイミングが０〜Ｎ−１の値を有するＴＵオフセットに定義される場合、０〜Ｌ−１(Ｌ＜Ｎ)はシグナリングに使用されることができない。また、ＳＣＳによってスロットの長さが多様に与えられることにより、Ａ／Ｎ送信に必要なプロセシング時間内のＴＵの数(Ｌ)も可変してシグナリング情報の制限／システムの複雑度が高くなる。
【０１３３】
図１４はオプション１−２による信号送信を例示する。図１４を参照すると、ＤＬデータはセルＸ(ＳＣＳ:Ｘ ＫＨｚ)のスロットｎで受信される。セルＸがＰＵＣＣＨセル(例えば、ＰＣｅｌｌ)ではない場合、ＤＬデータに対するＡ／ＮはＰＵＣＣＨセル(例えば、セルＹ)で送信されることができる。この時、セルＹのＳＣＳは４Ｘ ＫＨｚであるので、セルＸのスロットｎはセルＹの４つのスロットに対応／整列され(例えば、スロットｐ〜スロットｐ＋３)、ＤＬデータに対するＡ／ＮはセルＸのスロットｎに対応するセルＹの４つのスロットのうち、最後のスロット(即ち、スロットｐ＋３)に基づいてｋ(例えば、４)スロット以後に送信されることができる。ｋに関する情報はＤＬデータをスケジューリングする制御情報(例えば、ＤＬグラントＤＣＩ)により指示され、ｋは０以上の整数である。ｋはＡ／Ｎ送信(例えば、ＰＵＣＣＨ送信)に使用されたニューマロロジーに基づいて設定される。ここで、ＤＬデータはＰＤＳＣＨを介して受信され、ＤＬグラントＤＣＩはＰＤＣＣＨを介して受信される。ここで、セルは後述するように、サブバンドに代替することができる。
【０１３４】
また、オプション２−２において、ＵＬ−ＨＡＲＱ ｒｅｆｅｒｅｎｃｅ ＴＵのための"複数のＳＣｅｌｌ ＴＵのうち、特定の１つのＳＣｅｌｌ ＴＵ＃ｋ"は、該当複数のＳＣｅｌｌ ＴＵのうちの最後のＴＵと指定されるか、又は上位階層信号(例えば、ＲＲＣシグナリング)などにより該当複数のＳＣｅｌｌ ＴＵのうちの１つに設定される。ＵＬグラントＤＣＩを受信した後、ＵＬデータを送信するために、一定のプロセシング時間が必要であるので、ＨＡＲＱ−ＡＣＫ ｒｅｆｅｒｅｎｃｅ ＴＵと同様に、ＵＬ−ＨＡＲＱ ｒｅｆｅｒｅｎｃｅ ＴＵも複数のＳＣｅｌｌ ＴＵのうちの最後のＴＵに指定されることができる。なお、ＵＬ／ＤＬデータ処理の間の統一性のために、後述するＤＬ−ＨＡＲＱ ｒｅｆｅｒｅｎｃｅ ＴＵと同様に、ＵＬ−ＨＡＲＱ ｒｅｆｅｒｅｎｃｅ ＴＵも複数のＳＣｅｌｌ ＴＵのうち、最初のＴＵに指定されることができる。
【０１３５】
図１５はオプション２−２による信号送信を例示する。図１５を参照すると、ＵＬグラントＤＣＩはセルＸ(ＳＣＳ:Ｘ ＫＨｚ)のスロットｎで受信され、ＵＬデータはセルＹ(ＳＣＳ:４Ｘ ＫＨｚ)で送信される。この時、セルＹのＳＣＳは４Ｘ ＫＨｚであるので、セルＸのスロットｎはセルＹの４つのスロットに対応／整列され(例えば、スロットｐ〜スロットｐ＋３)、ＵＬデータはセルＸのスロットｎに対応するセルＹの４つのスロットのうち、最後のスロット(即ち、スロットｐ＋３)に基づいてｋ(例えば、４)スロット以後に送信されるか(オプション１)、１番目のスロット(即ち、スロットｐ)に基づいてｋ(例えば、7)スロット以後に送信されることができる(オプション２)。ｋに関する情報はＵＬグラントＤＣＩにより指示され、ｋは０以上の整数である。ｋはＵＬデータ送信(例えば、ＰＵＳＣＨ送信)に使用されたニューマロロジーに基づいて設定される。ここで、ＵＬデータはＰＵＳＣＨを介して送信され、ＵＬグラントＤＣＩはＰＤＣＣＨを介して受信される。ここで、セルは後述するように、サブバンドに代替することができる。
【０１３６】
また、オプション３−２において、ＤＬ−ＨＡＲＱ ｒｅｆｅｒｅｎｃｅ ＴＵのための"複数のＳＣｅｌｌ ＴＵのうち、特定の１つのＳＣｅｌｌ ＴＵ＃ｋ"は、該当複数のＳＣｅｌｌ ＴＵのうち、最初のＴＵに指定される。ＤＬグラントＤＣＩとＤＬデータは同時に受信可能であるので、ＨＡＲＱ−ＡＣＫ ｒｅｆｅｒｅｎｃｅ ＴＵを複数のＳＣｅｌｌ ＴＵのうちの最初のＴＵとして指定することにより、ＤＬデータの送信リソースの利用効率を高めることができる。
【０１３７】
図１６はオプション３−２による信号送信を例示する。図１５を参照すると、ＤＬグラントＤＣＩはセルＸ(ＳＣＳ:Ｘ ＫＨｚ)のスロットｎで受信され、ＤＬデータはセルＹ(ＳＣＳ:４Ｘ ＫＨｚ)で受信される。この時、セルＹのＳＣＳは４Ｘ ＫＨｚであるので、セルＸのスロットｎはセルＹの４つのスロットに対応／整列され(例えば、スロットｐ〜スロットｐ＋３)、ＤＬデータはセルＸのスロットｎに対応するセルＹの４つのスロットのうち、１番目のスロット(即ち、スロットｐ)に基づいてｋ(例えば、２)スロット以後に受信されることができる。ｋに関する情報はＤＬグラントＤＣＩにより指示され、ｋは０以上の整数である。ｋはＤＬデータ送信(例えば、ＰＤＳＣＨ送信)に使用されたニューマロロジーに基づいて設定される。ここで、ＤＬデータはＰＤＳＣＨを介して受信され、ＤＬグラントＤＣＩはＰＤＣＣＨを介して受信される。ここで、セルは後述するように、サブバンドに代替することができる。
【０１３８】
なお、本発明の提案方法は単一のセル或いはキャリアを複数のサブバンドに分け、各サブバンド間に異なるサイズのＳＣＳ或いはＴＵを設定した状態で、端末が複数のサブバンド上で同時に動作するか、又はサブバンド間をスイッチングする方式で動作する状況にも同様に適用することができる。この場合、本発明においてセルは(セル内)サブバンドに代替できる。ここで、サブバンドは連続する周波数リソース(例えば、連続する複数のＲＢ)で構成され、ＢＷＰ（ｂａｎｄｗｉｄｔｈ ｐａｒｔ)と称することができる。
【０１３９】
図１７は本発明に実施例に適用可能な基地局及び端末を例示する。
【０１４０】
図１７を参照すると、無線通信システムは、基地局(ＢＳ)１１０及び端末(ＵＥ)１２０を含む。リレーを含むシステムの場合、基地局又は端末はリレーに取り替えられることができる。
【０１４１】
基地局１１０は、プロセッサ１１２、メモリ１１４及び無線周波数(Ｒａｄｉｏ  Ｆｒｅｑｕｅｎｃｙ、ＲＦ)ユニット１１６を含む。プロセッサ１１２は本発明で提案した過程及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した過程及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。
【０１４２】
前述した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０１４３】
本文書で、本発明の実施例は主に端末と基地局間のデータ送受信関係を中心として説明した。本文書で、基地局によって遂行されると説明した特定の動作は場合によってはその上位ノード(ｕｐｐｅｒ ｎｏｄｅ)によって遂行することができる。すなわち、基地局を含む複数のネットワークノード(ｎｅｔｗｏｒｋ ｎｏｄｅｓ)でなるネットワークで端末との通信のために行われる多様な動作は基地局又は基地局以外の他のネットワークノードによって遂行することができるのは明らかである。基地局は、固定国(ｆｉｘｅｄ ｓｔａｔｉｏｎ)、Ｎｏｄｅ Ｂ、ｅＮｏｄｅＢ(ｅＮＢ)、アクセスポイント(ａｃｃｅｓｓ ｐｏｉｎｔ)などの用語に取り替えることができる。また、端末はＵＥ(Ｕｓｅｒ Ｅｑｕｉｐｍｅｎｔ)、ＭＳ(Ｍｏｂｉｌｅ Ｓｔａｔｉｏｎ)、ＭＳＳ(Ｍｏｂｉｌｅ Ｓｕｂｓｃｒｉｂｅｒ Ｓｔａｔｉｏｎ)などの用語に取り替えられることができる。
【０１４４】
本発明の実施例は、多様な手段、例えば、ハードウェア、ファームウェア(ｆｉｒｍｗａｒｅ)、ソフトウェア又はそれらの組合せなどによって具現することができる。ハードウェアによる具現の場合、本発明の一実施例は、一つ又はそれ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１４５】
ファームウェアやソフトウェアによる具現の場合、本発明の一実施例は、前述した機能又は動作を行うモジュール、手続、関数などの形態に具現することができる。ソフトウェアコードは、メモリユニットに格納してプロセッサによって駆動することができる。前記メモリユニットは、前記プロセッサの内部又は外部に位置し、既に公知の多様な手段によって前記プロセッサとデータをやり取りすることができる。
【０１４６】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１４７】
本発明は無線移動通信システムの端末機、基地局またはその他の装備に使用できる。
【図１】
2020523937.tif 000007
【図２】
2020523937.tif 000008
【図３】
2020523937.tif 000009
【図４】
2020523937.tif 000010
【図５】
2020523937.tif 000011
【図６】
2020523937.tif 000012
【図７】
2020523937.tif 000013
【図８】
2020523937.tif 000014
【図９】
2020523937.tif 000015
【図１０】
2020523937.tif 000016
【図１１】
2020523937.tif 000017
【図１２】
2020523937.tif 000018
【図１３】
2020523937.tif 000019
【図１４】
2020523937.tif 000020
【図１５】
2020523937.tif 000021
【図１６】
2020523937.tif 000022
【図１７】
2020523937.tif 000023
【国際調査報告】
2020523937.tif 000024
2020523937.tif 000025
2020523937.tif 000026
2020523937.tif 000027